(57)【要約】【課題】コストを抑えつつ、内容記述作業をより効率的に行うことができる情報編集システムを提供する。【解決手段】音声データまたは画像データの少なくとも一方を含むデジタルデータを編集する情報編集システム１０であって、デジタルデータを記録するデジタルデータ記録手段１０２を有する記録装置１００と、デジタルデータの編集位置における内容の抜粋情報を含むインデックスデータを取得するインデックスデータ取得手段２０４を有する携帯型入力装置２００と、デジタルデータを取得するデジタルデータ取得手段４０２と、インデックスデータを取得するインデックスデータ取得手段４０４と、インデックスデータに基づいてデジタルデータから編集位置を検出する編集位置検出手段４０８とを有する情報編集装置４００とを備えた。【選択図】      図１
2004222083.tif 000002
【特許請求の範囲】
【請求項１】
音声データまたは画像データの少なくとも一方を含むデジタルデータを編集する情報編集システムであって、
前記デジタルデータを記録するデジタルデータ記録手段を有する記録装置と、前記デジタルデータの編集位置における内容の抜粋情報を含むインデックスデータを取得するインデックスデータ取得手段を有する携帯型入力装置と、
前記記録装置の前記記録手段から前記デジタルデータを取得するデジタルデータ取得手段と、
前記携帯型入力装置から前記インデックスデータを取得するインデックスデータ取得手段と、
前記インデックスデータ取得手段が取得した前記インデックスデータに基づいて前記デジタルデータから編集位置を検出する編集位置検出手段と
を有する情報編集装置と
を備えたことを特徴とする情報編集システム。
【請求項２】
音声データまたは画像データの少なくとも一方を含むデジタルデータを編集する情報編集システムであって、
前記デジタルデータを記録するデジタルデータ記録手段を有する記録装置と、前記デジタルデータ記録手段が前記デジタルデータを記録しているときに、前記デジタルデータの編集位置を示すインデックスデータを取得するインデックスデータ取得手段を有する携帯型入力装置と、
前記記録装置の前記記録手段から前記デジタルデータを取得するデジタルデータ取得手段と、
前記携帯型入力装置から前記インデックスデータを取得するインデックスデータ取得手段と、
前記インデックスデータに基づいて前記デジタルデータから編集位置を検出する編集位置検出手段と
を有する情報編集装置と
を備えたことを特徴とする情報編集システム。
【請求項３】
前記記録装置の前記デジタルデータ記録手段は、音声データおよび動画データの少なくとも一方を含むデジタルデータを記録し、
前記携帯型入力装置の前記インデックスデータ取得手段は、前記デジタルデータの時間軸に沿った前記編集位置を示すインデックスデータを取得することを特徴とする請求項１または２に記載の情報編集システム。
【請求項４】
前記記録装置の前記デジタルデータ記録手段は、複数の静止画データ含むデジタルデータを記録し、
前記携帯型入力装置の前記インデックスデータ取得手段は、前記複数の静止画データのうち編集対象となる前記静止画データを編集位置として示すインデックスデータを取得することを特徴とする請求項１または２に記載の情報編集システム。
【請求項５】
前記携帯型入力装置の前記インデックスデータ取得手段は、前記デジタルデータの前記編集位置の編集位置情報に一致するデジタルデータ対応情報を含む前記インデックスデータを取得し、
前記情報編集装置の前記編集位置検出手段は、前記デジタルデータから前記デジタルデータ対応情報に一致する前記編集位置情報を検索することにより、前記編集位置を検出することを特徴とする請求項１から４のいずれか一項に記載の情報編集システム。
【請求項６】
前記携帯型入力装置の前記インデックスデータ取得手段は、前記編集位置に静止画が含まれている場合に、前記デジタルデータが表す画像のうち少なくとも一部に一致する対応画像の静止画データを含む前記インデックスデータを取得し、
前記情報編集装置の前記編集位置検出手段は、前記デジタルデータから前記対応画像に一致する画像を含む編集位置情報を検索することにより、前記編集位置を検出することを特徴とする請求項５に記載の情報編集システム。
【請求項７】
前記携帯型入力装置は、
画像を読み取るスキャナ手段をさらに有し、
前記インデックスデータ取得手段は、前記スキャナ手段が読み取った前記画像の前記静止画データを含む前記インデックスデータを取得することを特徴とする請求項６に記載の情報編集システム。
【請求項８】
前記携帯型入力装置は、画像を撮像する撮像手段をさらに有し、
前記インデックスデータ取得手段は、前記撮像手段が撮像した前記画像の前記静止画データを含む前記インデックスデータを取得することを特徴とする請求項６または７に記載の情報編集システム。
【請求項９】
前記記録装置の前記デジタルデータ記録手段は、文字を含む前記デジタルデータを記録し、
前記情報編集装置の前記編集位置検出手段は、前記デジタルデータの文字認識の結果、および前記インデックスデータの文字認識の結果に基づいて、前記インデックスデータに含まれる文字に一致する文字を前記デジタルデータから検索することにより、前記編集位置を検出することを特徴とする請求項５から８のいずれか一項に記載の情報編集システム。
【請求項１０】
前記携帯型入力装置の前記インデックスデータ取得手段は、文字を含む前記インデックスデータを取得し、
前記情報編集装置の前記編集位置検出手段は、前記デジタルデータの前記文字認識の結果に基づいて、前記インデックスデータに含まれる文字に一致する文字を前記デジタルデータから検索することにより、前記編集位置を検出することを特徴とする請求項５から８のいずれか一項に記載の情報編集システム。
【請求項１１】
前記記録装置は、前記デジタルデータ記録手段が前記デジタルデータを記録するときの記録時刻を当該デジタルデータに対応付ける記録時刻対応付手段をさらに有し、
前記携帯型入力装置は、前記インデックスデータ取得手段が取得した前記インデックスデータに、当該インデックスデータを取得したときの取得時刻を対応付ける取得時刻対応付手段をさらに有し、
前記情報編集装置の前記デジタルデータ取得手段は、前記記録時刻をさらに取得し、
前記インデックスデータ取得手段は、前記取得時刻をさらに取得し、
前記編集位置検出手段は、前記デジタルデータの前記記録時刻と、前記インデックスデータの前記取得時刻とに基づいて前記編集位置を検出することを特徴とする請求項１から４のいずれか一項に記載の情報編集システム。
【請求項１２】
前記記録装置は、前記デジタルデータ記録手段が前記デジタルデータを記録するときの記録時刻を当該デジタルデータに対応付ける記録時刻対応付手段をさらに有し、
前記携帯型入力装置は、
前記記録時刻の指定を示す時刻指定情報を取得する指定情報取得手段と、
前記時刻指定情報を前記インデックスデータに対応付ける指定情報対応付手段と
をさらに有し、
前記情報編集装置の前記インデックスデータ取得手段は、前記時刻指定情報をさらに取得し、
前記編集位置検出手段は、前記時刻指定情報に基づいて前記編集位置を検出することを特徴とする請求項１から１１のいずれか一項に記載の情報編集システム。
【請求項１３】
前記情報編集装置の前記編集位置検出手段は、前記デジタルデータのうち前記時刻指定情報が示す前記記録時刻を境界とする前記デジタルデータの一部の範囲を特定し、特定した範囲内で前記編集位置を検出することを特徴とする請求項１２に記載の情報編集システム。
【請求項１４】
前記情報編集装置は、
前記デジタルデータよりも高解像度の画像を含む高解像度データを取得する高解像度データ取得手段と、
前記高解像度データの少なくとも一部の情報に一致する高解像度データ対応情報を含む前記インデックスデータを検出するインデックスデータ検出手段と、
前記インデックスデータ検出手段が検出した前記インデックスデータに前記高解像度データを対応付ける高解像度データ対応付手段と、
前記インデックスデータが示す前記デジタルデータの前記編集位置に、当該インデックスデータに対応付けられた前記高解像度データを対応付ける高解像度データ編集手段と
をさらに有することを特徴とする請求項１から１３のいずれか一項に記載の情報編集システム。
【請求項１５】
画像を読み取るスキャナ手段を有する高解像度読取装置をさらに備え、
前記情報編集装置の前記取得手段は、前記高解像度読取装置の前記スキャナ手段が読み取った高解像度データを取得することを特徴とする請求項１４に記載の情報編集システム。
【請求項１６】
前記情報編集装置の前記インデックスデータ検出手段は、前記高解像度データが表す画像のうち少なくとも一部に一致する対応画像を含む前記インデックスデータを検出することを特徴とする請求項１４または１５に記載の情報編集システム。
【請求項１７】
前記携帯型入力装置の前記インデックスデータ取得手段は、文字を含む前記インデックスデータを取得し、
前記情報編集装置の前記高解像度データ対応付手段は、前記高解像度データの文字認識の結果に基づいて、前記高解像度データに含まれる文字に一致する前記文字情報を含む前記インデックスデータを検出し、検出した前記インデックスデータに前記高解像度データを対応付けることを特徴とする請求項１４から１６のいずれか一項に記載の情報編集システム。
【請求項１８】
前記携帯型入力装置は、前記精細読取装置の前記スキャナ手段が読み取った高解像度データのうち、前記編集位置に対応付けるべき部分を指定する部分指定情報を受け付ける指定情報取得手段をさらに有し、
前記情報編集装置の前記インデックスデータ取得手段は、前記部分指定情報をさらに取得し、
前記高解像度データ編集手段は、前記高解像度データのうち前記部分指定情報が示す部分の前記高解像度部分データを前記編集位置に対応付けることを特徴とする請求項１４から１７のいずれか一項に記載の情報編集システム。
【請求項１９】
前記情報編集装置は、前記編集位置に、当該編集位置を検出するために参照した前記インデックスデータを対応付けるインデックス編集手段をさらに有することを特徴とする請求項１から１８のいずれか一項に記載の情報編集システム。
【請求項２０】
前記携帯型入力装置は、
指定を示す指定情報を取得する指定情報取得手段と、
前記指定情報を前記インデックスデータに対応付ける指定情報対応付手段と
をさらに有し、
前記情報編集装置は、前記インデックスデータ取得手段が取得した前記指定情報を、前記インデックスデータに基づいて定まる前記編集位置に対応付ける指定情報編集手段をさらに有することを特徴とする請求項１から１９のいずれか一項に記載の情報編集システム。
【請求項２１】
前記携帯型入力装置は、利用者の筆記の際のストロークを検出するストローク検出手段をさらに有し、
前記指定情報取得手段は、前記ストローク検出手段が検出したストロークに関するストローク情報を指定情報として取得し、
前記情報編集装置の前記指定情報編集手段は、前記ストローク情報が示す文字をさらに前記編集位置に対応付けることを特徴とする請求項２０に記載の情報編集システム。
【請求項２２】
前記携帯型入力装置は、
利用者から前記インデックスデータの重要度を示す重要度情報を取得する指定情報取得手段と、
前記重要度情報を前記インデックスデータに対応付ける指定情報対応付手段とをさらに有し、
前記情報編集装置は、前記インデックスデータ取得手段が取得した前記重要度情報を前記編集位置に対応付ける重要度情報編集手段をさらに有することを特徴とする請求項１から２１のいずれか一項に記載の情報編集システム。
【請求項２３】
前記携帯型入力装置は、前記インデックスデータ取得手段が取得した前記インデックスデータを削除する削除手段をさらに有することを特徴とする請求項１から２２のいずれか一項に記載の情報編集システム。
【請求項２４】
前記携帯型入力装置は、前記スキャナ手段近傍に配置され、当該スキャナ手段が画像を走査するときに、当該スキャナ手段が走査する画像をマーキングするマーカ手段をさらに有することを特徴とする請求項１から２３のいずれか一項に記載の情報編集システム。
【請求項２５】
音声データまたは画像データの少なくとも一方を含むデジタルデータを編集する情報編集システムであって、
前記デジタルデータを出力するデジタルデータ出力手段を有する出力装置と、前記デジタルデータの編集位置における内容の抜粋情報を含むインデックスデータを取得するインデックスデータ取得手段を有する携帯型入力装置と、
前記出力装置から前記デジタルデータを取得するデジタルデータ取得手段と、前記携帯型入力装置から前記インデックスデータを取得するインデックスデータ取得手段と、
前記インデックスデータに基づいて前記デジタルデータから編集位置を検出する編集位置検出手段と
を有する情報編集装置と
を備えたことを特徴とする情報編集システム。
【請求項２６】
音声データまたは画像データの少なくとも一方を含むデジタルデータを編集する情報編集システムであって、
前記デジタルデータを出力するデジタルデータ出力手段を有する出力装置と、前記デジタルデータ記録手段が前記デジタルデータを出力しているときに、前記デジタルデータの編集位置を示すインデックスデータを取得するインデックスデータ取得手段を有する携帯型入力装置と、
前記出力装置から前記デジタルデータを取得するデジタルデータ取得手段と、前記携帯型入力装置から前記インデックスデータを取得するインデックスデータ取得手段と、
前記インデックスデータに基づいて前記デジタルデータから編集位置を検出する編集位置検出手段と
を有する情報編集装置と
を備えたことを特徴とする情報編集システム。
【請求項２７】
音声データまたは画像データの少なくとも一方を含むデジタルデータを編集する情報編集方法であって、
前記デジタルデータを記録するステップと、
前記デジタルデータの編集位置における内容の抜粋情報を含むインデックスデータを取得するステップと、
前記インデックスデータに基づいて、前記デジタルデータから編集位置を検出するステップと
を有することを特徴とする情報編集方法。
【請求項２８】
音声データまたは画像データの少なくとも一方を含むデジタルデータを編集する情報編集方法であって、
前記デジタルデータを記録する記録するステップと、
前記記録ステップにおいて前記デジタルデータを記録しているときに、前記デジタルデータの編集位置を示すインデックスデータを取得する取得ステップと、前記インデックスデータに基づいて前記デジタルデータから編集位置を検出する検出ステップと
を有することを特徴とする情報編集方法。
【請求項２９】
音声データまたは画像データの少なくとも一方を含むデジタルデータを編集する情報編集方法をコンピュータに実行させる情報編集プログラムであって、
デジタルデータ保持手段に保持されている前記デジタルデータの編集位置における内容の抜粋情報を含むインデックスデータを取得する取得ステップと、
前記インデックスデータに基づいて前記デジタルデータから前記編集位置を検出する検出ステップと
をコンピュータに実行させることを特徴とする情報編集プログラム。
【発明の詳細な説明】
【０００１】
【発明の属する技術分野】
この発明は、情報編集システム、情報編集方法、および情報編集プログラムに関する。
【０００２】
【従来の技術】
映像を全部見るには時間がかかるため、そのうちの所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
記述情報としては、例えば、静止画のサムネイル、撮影日時、撮影場所を特定するためのＧＰＳ（Ｇｌｏｂａｌ  Ｐｏｓｉｔｉｏｎｉｎｇ  Ｓｙｓｔｅｍ）情報、撮影時のカメラの状態などが知られている。これらの記述情報は、主に撮影時に映像カメラから自動的に得られる情報である。しかし、実際に必要な部分を検索または頭出しするためには、さらに豊富な情報を利用し、より容易な検索を可能とする必要がある。
【０００４】
例えば何らかの講演会の様子を撮影した映像においては、出演者、映像中のできごとの説明、ジャンルなどを記述情報として映像に対応付けることが望ましい。しかし、このように検索をより容易にするための情報を自動的に作成することは困難である。
【０００５】
そこで、このように多様な情報を記述情報として映像に対応付ける作業を軽減するための映像内容記述装置が考案されている（例えば、特許文献１）。また、これらを記述する形式として、ＩＳＯ１５９３８（内容記述インターフェース  ＭＰＥＧ−７）が国際標準化されている。
【０００６】
【特許文献１】
特開２００２−７４１８号公報（第５−７頁）
【０００７】
【発明が解決しようとする課題】
例えば、風景映像の場合には、映像シーンのサムネイルからある程度は所定のシーンを検索することができる。しかし、会議や出張、展示会、プレゼンテーション、業種業務などの映像においては、見た目が同じようなシーンが続くことが多いため、サムネイルや時刻からでは、所定のシーンを検索するのに限界がある。また、このようなビジネスで用いられる映像の場合、撮影映像を整理するコストは最小限にすることが求められる。従って、できるだけ、低コストで、かつ効率的に所定のシーンを検索する技術の提供が望まれている。
【０００８】
しかし、内容記述作業にはかなりのコストがかかるため、例えば博物館や美術館の資料映像、オリンピック記録用資料映像など、記述作業に要するコストに十分見合う映像以外では、内容記述を行うのは現実的ではない。このため、内容記述作業の簡便化を図ることにより低コストでの内容記述作業を可能とすることがマルチメディアインデキシング技術の大きな課題となっている。
【０００９】
この発明は上記に鑑みてなされたもので、コストを抑えつつ、内容記述作業をより効率的に行うことができる情報編集システムを得ることを目的とする。
【００１０】
【課題を解決するための手段】
上記目的を達成するため、請求項１にかかる発明は、音声データまたは画像データの少なくとも一方を含むデジタルデータを編集する情報編集システムであって、前記デジタルデータを記録するデジタルデータ記録手段を有する記録装置と、前記デジタルデータの編集位置における内容の抜粋情報を含むインデックスデータを取得するインデックスデータ取得手段を有する携帯型入力装置と、前記記録装置の前記記録手段から前記デジタルデータを取得するデジタルデータ取得手段と、前記携帯型入力装置から前記インデックスデータを取得するインデックスデータ取得手段と、前記インデックスデータ取得手段が取得した前記インデックスデータに基づいて前記デジタルデータから編集位置を検出する編集位置検出手段とを有する情報編集装置とを備えたことを特徴とする。
【００１１】
ここで、抜粋情報とは、例えば、会議、出張、および展示会などの様子を記録したデジタルデータに対する、これらの会議等で配布された配布資料や事前説明など、映像記述情報として利用できるような整理された情報のことである。会議などにおいては、映像に関する内容記述情報として利用できるものが多く存在するので、これらの情報を抜粋情報として利用する。
【００１２】
この請求項１の発明によれば、携帯型入力装置のインデックスデータ取得手段は、記録装置のデジタルデータ記録手段が記録したデジタルデータの編集位置における内容の抜粋情報を含むインデックスデータを取得する。この抜粋情報には、デジタルデータの映像の内容に関する整理された情報が含まれているため、情報編集装置の編集位置検出手段は、この抜粋情報に基づいて、効率的にデジタルデータにおける編集位置を検出することができる。
【００１３】
また、請求項２にかかる発明は、音声データまたは画像データの少なくとも一方を含むデジタルデータを編集する情報編集システムであって、前記デジタルデータを記録するデジタルデータ記録手段を有する記録装置と、前記デジタルデータ記録手段が前記デジタルデータを記録しているときに、前記デジタルデータの編集位置を示すインデックスデータを取得するインデックスデータ取得手段を有する携帯型入力装置と、前記記録装置の前記記録手段から前記デジタルデータを取得するデジタルデータ取得手段と、前記携帯型入力装置から前記インデックスデータを取得するインデックスデータ取得手段と、前記インデックスデータに基づいて前記デジタルデータから編集位置を検出する編集位置検出手段とを有する情報編集装置とを備えたことを特徴とする。
【００１４】
この請求項２の発明によれば、携帯型入力装置のインデックスデータ取得手段は、記録装置のデジタルデータ記録手段がデジタルデータを記録しているときに、デジタルデータの編集位置を示すインデックスデータを取得するので、デジタルデータとして記録された映像内容をより適切に示す内容記述情報をインデックスデータとして取得することができる。
【００１５】
また、請求項３にかかる発明は、請求項１または２に記載の情報編集システムであって、前記記録装置の前記デジタルデータ記録手段は、音声データおよび動画データの少なくとも一方を含むデジタルデータを記録し、前記携帯型入力装置の前記インデックスデータ取得手段は、前記デジタルデータの時間軸に沿った前記編集位置を示すインデックスデータを取得することを特徴とする。
【００１６】
この請求項３の発明によれば、記録装置のデジタルデータ記録手段が、音声データや動画データのように、時間的に連続するデータを記録する場合には、携帯型入力装置のインデックスデータ取得手段は、時間軸に沿った編集位置を示すインデックスデータを取得するので、情報編集装置の編集位置検出手段は、インデックスデータに基づいて、時間軸に沿った編集位置を検出することができる。
【００１７】
また、請求項４にかかる発明は、請求項１または２に記載の情報編集システムであって、前記記録装置の前記デジタルデータ記録手段は、複数の静止画データ含むデジタルデータを記録し、前記携帯型入力装置の前記インデックスデータ取得手段は、前記複数の静止画データのうち編集対象となる前記静止画データを編集位置として示すインデックスデータを取得することを特徴とする。
【００１８】
この請求項４の発明によれば、記録装置のデジタルデータ記録手段が、複数の静止画データを含むデジタルデータを記録する場合には、携帯型入力装置のインデックスデータ取得手段は、複数の静止画データのうち編集対象となる静止画データを編集位置として識別するインデックスデータを取得するので、情報編集装置の編集位置検出手段は、インデックスデータに基づいて、所定の静止画データを編集位置として検出することができる。
【００１９】
また、請求項５にかかる発明は、請求項１から４のいずれか一項に記載の情報編集システムであって、前記携帯型入力装置の前記インデックスデータ取得手段は、前記デジタルデータの前記編集位置の編集位置情報に一致するデジタルデータ対応情報を含む前記インデックスデータを取得し、前記情報編集装置の前記編集位置検出手段は、前記デジタルデータから前記デジタルデータ対応情報に一致する前記編集位置情報を検索することにより、前記編集位置を検出することを特徴とする。
【００２０】
この請求項５の発明によれば、携帯型入力装置のインデックスデータ取得手段は、デジタルデータの編集位置の編集位置情報に一致するデジタルデータ対応情報を含むインデックスデータを取得するので、情報編集装置の編集位置検出手段は、デジタルデータからデジタルデータ対応情報に一致する編集位置情報を検索することにより、編集位置を検出することができる。すなわち、インデックスデータを利用することにより、自動的に、効率的かつ正確に編集位置を検出することができる。
【００２１】
また、請求項６にかかる発明は、請求項５に記載の情報編集システムであって、前記携帯型入力装置の前記インデックスデータ取得手段は、前記編集位置に静止画が含まれている場合に、前記デジタルデータが表す画像のうち少なくとも一部に一致する対応画像の静止画データを含む前記インデックスデータを取得し、前記情報編集装置の前記編集位置検出手段は、前記デジタルデータから前記対応画像に一致する画像を含む編集位置情報を検索することにより、前記編集位置を検出することを特徴とする。
【００２２】
ここで、少なくとも一部に一致する画像とは、デジタルデータが、動画データである場合には、所定の時間に再生される１つの静止画、または連続する複数の静止画のことである。または、所定の時間に再生される１つの静止画に含まれる所定の領域、すなわち部分画像であってもよい。
【００２３】
この請求項６の発明によれば、携帯型入力装置のインデックスデータ取得手段は、編集位置に静止画が含まれている場合に、デジタルデータが表す画像のうち少なくとも一部に一致する対応画像の静止画データを含む前記インデックスデータを取得する。従って、情報編集装置の編集位置検出手段は、デジタルデータから対応画像に一致する画像を含む編集位置情報を検索することにより、編集位置を検出することができる。すなわち、インデックスデータを利用することにより、自動的に、効率的かつ正確に編集位置を検出することができる。
【００２４】
また、請求項７にかかる発明は、請求項６に記載の情報編集システムであって、前記携帯型入力装置は、画像を読み取るスキャナ手段をさらに有し、前記インデックスデータ取得手段は、前記スキャナ手段が読み取った前記画像の前記静止画データを含む前記インデックスデータを取得することを特徴とする。
【００２５】
この請求項７の発明によれば、携帯型入力装置は、スキャナ手段を有するので、記録装置が記録した画像と同一の画像を読み取り、インデックスデータとすることができる。従って、情報編集装置の編集位置検出手段は、インデックスデータが示す画像に基づいて、自動的に、効率的かつ正確に編集位置を検出することができる。
【００２６】
また、このように、記録装置がデジタルデータを記録しているときに、携帯型入力装置がインデックスデータを取得するので、デジタルデータと同一の画像をインデックスデータとして利用することができる。
【００２７】
また、請求項８にかかる発明は、請求項６または７に記載の情報編集システムであって、前記携帯型入力装置は、画像を撮像する撮像手段をさらに有し、前記インデックスデータ取得手段は、前記撮像手段が撮像した前記画像の前記静止画データを含む前記インデックスデータを取得することを特徴とする。
【００２８】
この請求項８の発明によれば、携帯型入力装置は、撮像手段を有するので、記録装置が記録した画像と同一の画像を読取、インデックスデータとすることができる。従って、情報編集装置の編集位置検出手段は、インデックスデータが示す画像に基づいて、自動的に、効率的かつ正確に編集位置を検出することができる。
【００２９】
また、請求項９にかかる発明は、請求項５から８のいずれか一項に記載の情報編集システムであって、前記記録装置の前記デジタルデータ記録手段は、文字を含む前記デジタルデータを記録し、前記情報編集装置の前記編集位置検出手段は、前記デジタルデータの文字認識の結果、および前記インデックスデータの文字認識の結果に基づいて、前記インデックスデータに含まれる文字に一致する文字を前記デジタルデータから検索することにより、前記編集位置を検出することを特徴とする。
【００３０】
この請求項９の発明によれば、デジタルデータおよびインデックスデータは、ともに文字を含んでいるので、インデックスデータと同一の文字を含むデジタルデータを検索することにより、編集位置を検出することができる。
【００３１】
なお、好ましくは、文字認識を行う文字認識手段は、情報編集装置が有しており、情報編集装置は、取得したインデックスデータの文字認識を行い、かつ取得したデジタルデータの文字認識を行う。また、携帯入力装置が、文字認識機能を有している場合には、携帯型入力装置がインデックスデータの文字認識を行ってもよい。この場合には、情報編集装置は、携帯入力装置からインデックスデータおよびインデックスデータの文字認識の結果をそれぞれ取得し、インデックスデータの文字認識の結果と、デジタルデータに含まれる文字とを比較する。
【００３２】
また、記録装置が文字認識手段を有している場合には、記録装置が、デジタルデータの文字認識を行ってもよい。この場合、情報編集装置は、記録装置からデジタルデータおよびデジタルデータの文字認識の結果をそれぞれ取得し、デジタルデータの文字認識の結果と、デジタルデータに含まれる文字とを比較する。さらに、記録装置および携帯型入力装置のそれぞれが文字認識手段を有していてもよい。
【００３３】
このように、情報編集装置において、インデックスデータおよびデジタルデータについての文字認識の結果が比較できればよく、文字認識手段は、いずれの装置が有していてもよい。
【００３４】
また、請求項１０にかかる発明は、請求項５から８のいずれか一項に記載の情報編集システムであって、前記携帯型入力装置の前記インデックスデータ取得手段は、文字を含む前記インデックスデータを取得し、前記情報編集装置の前記編集位置検出手段は、前記デジタルデータの前記文字認識の結果に基づいて、前記インデックスデータに含まれる文字に一致する文字を前記デジタルデータから検索することにより、前記編集位置を検出することを特徴とする。
【００３５】
この請求項１０の発明によれば、デジタルデータおよびインデックスデータは、ともに文字を含んでいるので、インデックスデータと同一の文字を含むデジタルデータを検索することにより、編集位置を検出することができる。従って、例えば、デジタルデータの画像中に文字が含まれており、また、インデックスデータが所定の文字を示すテキストデータである場合には、デジタルデータにおいて文字認識することにより、テキストデータが示す文字と一致する文字を含む画像を検索することにより、編集位置を検出することができる。
【００３６】
また、請求項１１にかかる発明は、請求項１から４のいずれか一項に記載の情報編集システムであって、前記記録装置は、前記デジタルデータ記録手段が前記デジタルデータを記録するときの記録時刻を当該デジタルデータに対応付ける記録時刻対応付手段をさらに有し、前記携帯型入力装置は、前記インデックスデータ取得手段が取得した前記インデックスデータに、当該インデックスデータを取得したときの取得時刻を対応付ける取得時刻対応付手段をさらに有し、前記情報編集装置の前記デジタルデータ取得手段は、前記記録時刻をさらに取得し、前記インデックスデータ取得手段は、前記取得時刻をさらに取得し、前記編集位置検出手段は、前記デジタルデータの前記記録時刻と、前記インデックスデータの前記取得時刻とに基づいて前記編集位置を検出することを特徴とする。
【００３７】
この請求項１１の発明によれば、編集位置検出手段は、デジタルデータの記録時刻と、インデックスデータの取得時刻とに基づいて、編集位置を検出することができるので、デジタルデータを作成するときに、共にインデックスデータを取得しておくことによって、記録時刻と取得時刻を比較することにより、自動的に適当な編集位置を特定することができる。また、正確に編集位置を特定できない場合であっても、記録時刻と取得時刻との比較結果に基づいて、編集位置の含まれる範囲を限定することができるので、ひいては効率的に位置を検出することができる。
【００３８】
また、請求項１２にかかる発明は、請求項１から１１のいずれか一項に記載の情報編集システムであって、前記記録装置は、前記デジタルデータ記録手段が前記デジタルデータを記録するときの記録時刻を当該デジタルデータに対応付ける記録時刻対応付手段をさらに有し、前記携帯型入力装置は、前記記録時刻の指定を示す時刻指定情報を取得する指定情報取得手段と、前記時刻指定情報を前記インデックスデータに対応付ける指定情報対応付手段とをさらに有し、前記情報編集装置の前記インデックスデータ取得手段は、前記時刻指定情報をさらに取得し、前記編集位置検出手段は、前記時刻指定情報に基づいて前記編集位置を検出することを特徴とする。
【００３９】
この請求項１２の発明によれば、情報編集装置のインデックスデータ取得手段は、携帯型入力装置から記録時刻の指定を示す時刻指定情報を取得するので、編集位置検出手段は、デジタルデータに対応付けられている記録時刻と時刻指定情報に基づいて、自動的に編集位置を検出することができる。従って、利用者は、デジタルデータを記録しているときに、指定時刻情報を入力するだけで、デジタルデータを編集する際に、容易に編集位置を特定することができる。従って、内容記述情報の付加をより簡単に行うことができる。
【００４０】
また、請求項１３にかかる発明は、請求項１２に記載の情報編集システムであって、前記情報編集装置の前記編集位置検出手段は、前記デジタルデータのうち前記時刻指定情報が示す前記記録時刻を境界とする前記デジタルデータの一部の範囲を特定し、特定した範囲内で前記編集位置を検出することを特徴とする。
【００４１】
この請求項１３の発明によれば、情報編集装置の編集位置検出手段は、デジタルデータのうち時刻指定情報が示す記録時刻を境界とするデジタルデータの一部の範囲を特定し、特定した範囲内で編集位置を検出する。このように、時刻指定情報に基づいて、デジタルデータにおける検索対象を予め限定することにより、効率的に、編集位置を検出することができる。
【００４２】
また、請求項１４にかかる発明は、請求項１から１３のいずれか一項に記載の情報編集システムであって、前記情報編集装置は、前記デジタルデータに比べて高解像度な高解像度データを取得する高解像度データ取得手段と、前記高解像度データの少なくとも一部の情報に一致する高解像度データ対応情報を含む前記インデックスデータを検出するインデックスデータ検出手段と、前記インデックスデータ検出手段が検出した前記インデックスデータに前記高解像度データを対応付ける高解像度データ対応付手段と、前記インデックスデータが示す前記デジタルデータの前記編集位置に、当該インデックスデータに対応付けられた前記高解像度データを対応付ける高解像度データ編集手段とをさらに有することを特徴とする。
【００４３】
この請求項１４の発明によれば、情報編集装置は、前記デジタルデータに比べて高解像度な高解像度データの少なくとも一部の情報に一致する高解像度データ対応情報を含むインデックスデータを検出し、当該インデックスデジタルデータから定まる編集位置に高解像度データを対応付けることができる。このように、インデックスデータに基づいて容易に編集位置を特定できるので、所望の位置に、所望の情報を対応付けることができる。これにより、編集位置を特定し、特定した編集位置に内容記述情報を対応付けるという一連の処理も自動的に行うことができる。
【００４４】
また、請求項１５にかかる発明は、請求項１４に記載の情報編集システムであって、画像を読み取るスキャナ手段を有する高解像度読取装置をさらに備え、前記情報編集装置の前記取得手段は、前記高解像度読取装置の前記スキャナ手段が読み取った高解像度データを取得することを特徴とする。
【００４５】
この請求項１５の発明によれば、情報編集装置は、スキャナ手段が読み取った高解像度データを情報編集装置に対応付けることができる。したがって、例えば、記録装置で映像を記録するときに、携帯している携帯型入力装置において、簡易的に所定の情報をインデックスデータとして取得しておくことにより、後に付与すべき高解像度画像と同一の情報など、高解像度画像との関連が明らかとなるような情報をインデックスデータとして取得しておくことにより、インデックスデータに基づいて、容易に高解像度データを対応付けるべき編集位置を特定することができる。
【００４６】
また、請求項１６にかかる発明は、請求項１４または１５に記載の情報編集システムであって、前記情報編集装置の前記インデックスデータ検出手段は、前記高解像度データが表す画像のうち少なくとも一部に一致する対応画像を含む前記インデックスデータを検出することを特徴とする。
【００４７】
この請求項１６の発明によれば、情報編集装置のインデックスデータ検出手段は、高解像度データが表す画像のうち少なくとも一部に一致する対応画像を含むインデックスデータを検出することができるので、高解像度画像に含まれる画像をインデックスデータとして取得しておくことにより、このインデックスデータに基づいて、当該高解像度画像を対応付けるべき編集位置を自動的にかつ簡単に検出することができる。
【００４８】
また、請求項１７にかかる発明は、請求項１４から１６のいずれか一項に記載の情報編集システムであって、前記携帯型入力装置の前記インデックスデータ取得手段は、文字を含む前記インデックスデータを取得し、前記情報編集装置の前記高解像度データ対応付手段は、前記高解像度データの文字認識の結果に基づいて、前記高解像度データに含まれる文字に一致する前記文字情報を含む前記インデックスデータを検出し、検出した前記インデックスデータに前記高解像度データを対応付けることを特徴とする。
【００４９】
この請求項１７の発明によれば、情報編集装置のインデックスデータ取得手段は、文字を含むインデックスデータを取得するので、高解像度データ対応付手段は、高解像度データの文字認識の結果に基づいて、高解像度データに含まれる文字に一致する文字情報を含む前記インデックスデータを、対応するインデックスデータとして検出することができる。そして、検出したインデックスデータに基づいて、編集位置を検出することができるので、自動的に所定の位置に高解像度データを対応付けることができる。
【００５０】
また、請求項１８にかかる発明は、請求項１４から１７のいずれか一項に記載の情報編集システムであって、前記携帯型入力装置は、前記精細読取装置の前記スキャナ手段が読み取った高解像度データのうち、前記編集位置に対応付けるべき部分を指定する部分指定情報を受け付ける指定情報取得手段をさらに有し、前記情報編集装置の前記インデックスデータ取得手段は、前記部分指定情報をさらに取得し、前記高解像度データ編集手段は、前記高解像度データのうち前記部分指定情報が示す部分の前記高解像度部分データを前記編集位置に対応付けることを特徴とする。
【００５１】
この請求項１８の発明によれば、情報編集装置のインデックスデータ取得手段が、高解像度データのうち、編集位置に対応付けるべき部分を指定する部分指定情報をさらに取得した場合に、高解像度データ編集手段は、高解像度データのうち部分指定情報が示す部分の高解像度部分データを編集位置に対応付けることができる。このように、編集位置に多様な形態の情報を対応付けることができるので、利用者の希望に合ったインデキシングを行うことができる。
【００５２】
また、請求項１９にかかる発明は、請求項１から１８のいずれか一項に記載の情報編集システムであって、前記情報編集装置は、前記編集位置に、当該編集位置を検出するために参照した前記インデックスデータを対応付けるインデックス編集手段をさらに有することを特徴とする。
【００５３】
この請求項１９の発明によれば、情報編集装置は、編集位置に、インデックスデータを対応付けることができる。すなわち、記録装置においてデジタルデータを記録しているときに、携帯型入力装置において、デジタルデータに対応付けるべきデータを取得し、かつ当該デジタルデジタルデータに対応付けるべきデータに基づいて、編集位置を特定することができるので、自動的にかつ容易にインデックスデータを編集位置に対応付けることができる。
【００５４】
また、請求項２０にかかる発明は、請求項１から１９のいずれか一項に記載の情報編集システムであって、前記携帯型入力装置は、指定を示す指定情報を取得する指定情報取得手段と、前記指定情報を前記インデックスデータに対応付ける指定情報対応付手段とをさらに有し、前記情報編集装置は、前記インデックスデータ取得手段が取得した前記指定情報を、前記インデックスデータに基づいて定まる前記編集位置に対応付ける指定情報編集手段をさらに有することを特徴とする。
【００５５】
この請求項２０の発明によれば、情報編集装置の指定情報編集手段は、携帯型入力装置の指定情報取得手段が取得した指定情報を、インデックスデータに基づいて定まる編集位置に対応付けることができる。従って、利用者は、記録装置がデジタルデータを記録しているときに、対応付けたい情報を携帯型入力装置に入力することにより、後に、指定情報として、所望の編集位置に対応付けることができる。このように、簡単にデジタルデータに内容記述情報を対応付けることができる。
【００５６】
また、請求項２１にかかる発明は、請求項２０に記載の情報編集システムであって、前記携帯型入力装置は、利用者の筆記の際のストロークを検出するストローク検出手段をさらに有し、前記指定情報取得手段は、前記ストローク検出手段が検出したストロークに関するストローク情報を指定情報として取得し、前記情報編集装置の前記指定情報編集手段は、前記ストローク情報が示す文字情報をさらに前記編集位置に対応付けることを特徴とする。
【００５７】
この請求項２１の発明によれば、携帯型入力装置のストローク検出手段は、利用者の筆記の際のストロークを検出し、指定情報取得手段は、ストローク検出手段が検出したストロークに関するストローク情報を指定情報として取得することができる。従って、より正確な文字情報を、容易に編集位置に対応付けることができる。
【００５８】
また、請求項２２にかかる発明は、請求項１から２１のいずれか一項に記載の情報編集システムであって、前記携帯型入力装置は、利用者から前記インデックスデータの重要度を示す重要度情報を取得する指定情報取得手段と、前記重要度情報を前記インデックスデータに対応付ける指定情報対応付手段とをさらに有し、前記情報編集装置は、前記インデックスデータ取得手段が取得した前記重要度情報を前記編集位置に対応付ける重要度情報編集手段をさらに有することを特徴とする。
【００５９】
この請求項２２の発明によれば、情報編集装置の重要度情報編集手段は、携帯型入力装置の指定情報取得手段が利用者から取得したインデックスデータの重要度を示す重要度情報を編集位置に対応付けることができる。このように、多様な情報をデジタルデータの編集位置に簡単に対応付けることができる。
【００６０】
また、請求項２３にかかる発明は、請求項１から２２のいずれか一項に記載の情報編集システムであって、前記携帯型入力装置は、前記インデックスデータ取得手段が取得した前記インデックスデータを削除する削除手段をさらに有することを特徴とする。
【００６１】
この請求項２３の発明によれば、携帯型入力装置は、インデックスデータ取得手段が取得したインデックスデータを削除する削除手段をさらに有するので、携帯型入力装置の利便性が向上する。このため、より簡単に多様な情報をデジタルデータの編集位置に対応付けることができる。
【００６２】
また、請求項２４にかかる発明は、請求項１から２３のいずれか一項に記載の情報編集システムであって、前記携帯型入力装置は、前記スキャナ手段近傍に配置され、当該スキャナ手段が画像を走査するときに、当該スキャナ手段が走査する画像をマーキングするマーカ手段をさらに有することを特徴とする。
【００６３】
この請求項２４の発明によれば、携帯型入力装置は、スキャナ手段近傍に配置され、当該スキャナ手段が画像を走査するときに、当該スキャナ手段が走査する画像をマーキングするマーカ手段をさらに有するので、携帯型入力装置の利便性が向上する。
【００６４】
また、請求項２５にかかる発明は、音声データまたは画像データの少なくとも一方を含むデジタルデータを編集する情報編集システムであって、前記デジタルデータを出力するデジタルデータ出力手段を有する出力装置と、前記デジタルデータの編集位置における内容の抜粋情報を含むインデックスデータを取得するインデックスデータ取得手段を有する携帯型入力装置と、前記出力装置から前記デジタルデータを取得するデジタルデータ取得手段と、前記携帯型入力装置から前記インデックスデータを取得するインデックスデータ取得手段と、前記インデックスデータに基づいて前記デジタルデータから編集位置を検出する編集位置検出手段とを有する情報編集装置とを備えたことを特徴とする。
【００６５】
この請求項２５の発明によれば、携帯型入力装置のインデックスデータ取得手段は、出力装置のデジタルデータ出力手段が出力したデジタルデータの編集位置における内容の抜粋情報を含むインデックスデータを取得する。この抜粋情報には、デジタルデータの映像の内容に関する整理された情報が含まれているため、情報編集装置の編集位置検出手段は、この抜粋情報に基づいて、効率的に編集位置を検出することができる。
【００６６】
また、請求項２６にかかる発明は、音声データまたは画像データの少なくとも一方を含むデジタルデータを編集する情報編集システムであって、前記デジタルデータを出力するデジタルデータ出力手段を有する出力装置と、前記デジタルデータ出力手段が前記デジタルデータを出力しているときに、前記デジタルデータの編集位置を示すインデックスデータを取得するインデックスデータ取得手段を有する携帯型入力装置と、前記記録装置から前記デジタルデータを取得するデジタルデータ取得手段と、前記携帯型入力装置から前記インデックスデータを取得するインデックスデータ取得手段と、前記インデックスデータに基づいて前記デジタルデータから編集位置を検出する編集位置検出手段とを有する情報編集装置とを備えたことを特徴とする。
【００６７】
この請求項２６の発明によれば、携帯型入力装置のインデックスデータ取得手段は、記録装置のデジタルデータ記録手段がデジタルデータを記録しているときに、デジタルデータの編集位置を示すインデックスデータを取得するので、デジタルデータとして記録された映像内容をより適切に示す内容記述情報をインデックスデータとして取得することができる。
【００６８】
また、請求項２７にかかる発明は、音声データまたは画像データの少なくとも一方を含むデジタルデータを編集する情報編集方法であって、前記デジタルデータを記録するステップと、前記デジタルデータの編集位置における内容の抜粋情報を含むインデックスデータを取得するステップと、前記インデックスデータに基づいて、前記デジタルデータから編集位置を検出するステップとを有することを特徴とする。
【００６９】
この請求項２７の発明によれば、デジタルデータの映像の内容に関する整理された情報が含まれた抜粋情報を含むインデックスデータに基づいて、効率的にデジタルデータから編集位置を検出することができる。
【００７０】
また、請求項２８にかかる発明は、音声データまたは画像データの少なくとも一方を含むデジタルデータを編集する情報編集方法であって、前記デジタルデータを記録する記録するステップと、前記記録ステップにおいて前記デジタルデータを記録しているときに、前記デジタルデータの編集位置を示すインデックスデータを取得する取得ステップと、前記インデックスデータに基づいて前記デジタルデータから編集位置を検出する検出ステップとを有することを特徴とする。
【００７１】
この請求項２８の発明によれば、デジタルデータを記録しているときに、デジタルデータの編集位置を示すインデックスデータを取得するので、デジタルデータとして記録された映像内容をより適切に示す内容記述情報をインデックスデータとして取得することができる。
【００７２】
また、請求項２９にかかる発明は、音声データまたは画像データの少なくとも一方を含むデジタルデータを編集する情報編集方法をコンピュータに実行させる情報編集プログラムであって、デジタルデータ保持手段に保持されている前記デジタルデータの編集位置における内容の抜粋情報を含むインデックスデータを取得する取得ステップと、前記インデックスデータに基づいて前記デジタルデータから前記編集位置を検出する検出ステップとをコンピュータに実行させることを特徴とする。
【００７３】
この請求項２９の発明によれば、デジタルデータの映像の内容に関する整理された情報が含まれた抜粋情報を含むインデックスデータに基づいて、効率的にデジタルデータから編集位置を検出することができる。
【００７４】
【発明の実施の形態】
以下に添付図面を参照して、この発明にかかる情報編集システム、情報編集方法、および情報編集プログラムの好適な実施の形態を詳細に説明する。
【００７５】
（実施の形態１）
図１は、実施の形態１に係る情報編集システム１０のシステム全体を示す図である。情報編集システム１０は、ビデオカメラ１００と、携帯型スキャナ２００と高解像度スキャナ３００と、情報編集装置４００とを備えている。携帯型スキャナ２００は、携帯性を重視したものが望ましく、解像度は低くてもよい。一方、高解像度スキャナ３００は、携帯型スキャナ２００に比べて高い解像度の画像を得られるものが望ましい。
【００７６】
ビデオカメラ１００は、動画を撮影し、動画および音声を含むデジタルデータとして記録する。携帯型スキャナ２００は、デジタルデータにおける編集位置を示すインデックスデータを作成する。具体的には、デジタルデータの動画が示す内容の抜粋となる画像等を読み取り、読み取った画像を含むインデックスデータを記録する。
【００７７】
ここで、編集位置とは、デジタルデータのうち、編集すべきシーンを示す位置のことであって、動画のように時間の概念を含む情報においては、デジタルデータの再生時間の時間軸に沿った位置のことである。すなわち、デジタルデータを構成する複数のフレームのうちの一のフレームに相当する。例えば、１０分後の編集位置とは、再生開始から１０分後に再生されるフレームのことである。
【００７８】
高解像度スキャナ３００は、編集位置に対応付ける画像データを生成する。具体的には、デジタルデータの動画が示す内容に対応付けるべき画像等を読み取り、読み取った画像を高解像度静止画データとして記録する。
【００７９】
情報編集装置４００は、ビデオカメラ１００が撮影したデジタルデータ、携帯型スキャナ２００が記録したインデックスデータ、および高解像度スキャナ３００が読み取った静止画データを取得する。そして、情報編集装置４００は、携帯型スキャナ２００から取得したインデックスデータに基づいて、デジタルデータの編集位置を検出し、高解像度スキャナ３００から取得した高解像度静止画データを対応付ける。
【００８０】
なお、本実施の形態にかかるビデオカメラ１００および携帯型スキャナ２００は、それぞれ特許請求の範囲に記載の記録装置および携帯型入力装置を構成する。
【００８１】
図２は、実施の形態１にかかる編集対象となるデジタルデータと、デジタルデータに対応付けられたインデックスデータ、および高解像度静止画データを説明するための図である。図２を参照しつつ、企業の製品展示会の様子を撮影したデジタルデータに対して内容記述情報等の付帯情報を付与する場合について説明する。
【００８２】
利用者は、ビデオカメラ１００および携帯型スキャナ２００を携帯して会場に出かける。そして、ビデオカメラ１００を用いて、Ｒ社のブースに展示されている製品５００を撮影する。すなわち、デジタルデータを記録する。このとき、携帯型スキャナ２００を用いて、Ｒ社のブースに置いてある製品５００についてのカタログ５１０を読み取り、カタログ５１０の画像を含むインデックスデータを作成する。
【００８３】
このように、ビデオカメラ１００で撮影中に、携帯型スキャナ２００により画像を読み取る、すなわちインデックスデータを取得するので、インデックスデータの取得時刻と、デジタルデータの記録時刻とをそれぞれインデックスデータおよびデジタルデータに対応付けておくことにより、記録時刻および取得時刻に基づいて、インデックスデータが示す編集位置の検出を容易に行うことができる。
【００８４】
そして、このカタログ５１０を持ち帰り、高解像度スキャナ３００によりカタログ５１０を読み取り、より高解像度の高解像度静止画データを作成する。デジタルデータと、インデックスデータとは同一の画像を含んでいるため、インデックスデータとデジタルデータとを照合することにより、デジタルデータの編集位置を検出し、検出した編集位置に高解像度静止画データを対応付けることができる。なお、本実施の形態においては、同一画像に含まれる同一の文字列を照合することにより、編集位置を検出する。
【００８５】
製品展示会の様子を撮影したデジタルデータを編集する場合には、インデックスデータとして、製品展示会場にて配布される製品カタログや、会場内で行われる講演のプログラムに記載された内容を読み取ることができる。
【００８６】
これらの配布物には、その会場内で開催されるイベント等をまとめた整理された情報が記載されているため、インデックスデータに適している。ビデオカメラ１００で撮影される映像内容は、このようなプログラム等に沿ったものであることが多いため、プログラム等に記載された情報は、記録された映像、すなわちデジタルデータにおける抜粋情報として扱うことができる。
【００８７】
また、展示会の会場で配布される製品に関するパンフレットは、製品に関する重要な情報を抜粋して記載したものである。このように、所定の事項に関して整理された情報、すなわち所定の事項について重要な情報を抜粋した抜粋情報をインデックスデータとして有効に利用することにより、動画検索をより効率的に行うことが可能となる。本実施の形態においては、パンフレットのように予め情報が整理されたものを利用することで、動画に付帯情報を付与する処理の簡略化することができる。
【００８８】
整理された情報としては、これ以外にも、例えば、運動会の様子の動画を撮影しているときに、運動会のプログラムをインデックスデータとして利用することが可能である。
【００８９】
図３は、情報編集装置４００により編集された後のデジタルデータを示している。デジタルデータ６００は、複数のシーンに分割されている。各シーンには、前述のように携帯型スキャナ２００によりインデックスデータとして生成されたテキストデータ７００や、高解像度スキャナ３００により作成された高解像度静止画データ７１０などが付帯情報として対応付けられている。また、シーン５には、複数の付帯情報７２０，７２２が対応付けられている。
【００９０】
以下、デジタルデータにおける編集位置を特定し、特定した編集位置に、高解像度静止画データを対応付ける処理を実現する情報編集システム１０を構成する各装置の構成および動作について説明する。
【００９１】
図４は、ビデオカメラ１００の機能構成を示すブロック図である。ビデオカメラ１００は、デジタルデータ記録部１０２と、連続録画単位分割部１０４と、デジタルデータ保持部１０６と、時計部１１０と、記録時刻対応付部１１２と、出力部１１４とを有している。
【００９２】
デジタルデータ記録部１０２は、図示せぬ撮像部によって撮像された動画を記録する。連続録画単位分割部１０４は、デジタルデータ記録部１０２が記録した一連の動画データを所定の時間を１単位とする複数のシーンに分割する。なお、ここで、分割とは、動画データが仮想的に分割されていればよく、各シーンが、物理的に別個のデータに分離されることは要しない。すなわち、一連の動画データにおける、各シーンを識別できればよい。
【００９３】
他の例としては、利用者からの指示により、動画に含まれる内容に基づいて分割位置を決定してもよい。
【００９４】
デジタルデータ保持部１０６は、分割後のデジタルデータを保持する。時計部１１０は、時刻を管理する。記録時刻対応付部１１２は、時計部１１０が示す時刻を参照し、デジタルデータ記録部１０２がデジタルデータを記録するときの記録時刻を当該デジタルデータに対応付ける。出力部１１４はデジタルデータ保持部１０６に保持されるデジタルデータを出力する。なお、デジタルデータ保持部１０６としては、着脱可能なテープメディアを用いてもよい。
【００９５】
図５は、携帯型スキャナ２００の機能構成を示すブロック図である。携帯型スキャナ２００は、スキャナ部２０２と、インデックスデータ取得部２０４と、インデックスデータ保持部２０６と、時計部２１０と、取得時刻対応付部２１２と、ストローク検出部２２０と、指定情報取得部２２２と、指定情報対応付部２２４と、削除部２２６と、出力部２１４とを有している。
【００９６】
スキャナ部２０２は、パンフレットなどの書面に記載された画像を読み取る。インデックスデータ取得部２０４は、スキャナ部２０２が読み取った静止画を含むインデックスデータを取得する。ここで、インデックスデータとは、対応するデジタルデータにおける編集位置を示す情報である。
【００９７】
時計部２１０は、時刻を管理する。取得時刻対応付部２１２は、インデックスデータ取得部２０４が取得したインデックスデータに対して、インデックスデータ取得部２０４がインデックスデータを取得したときの取得時刻を対応付ける。
【００９８】
インデックスデータ保持部２０６は、インデックスデータ取得部２０４が取得したインデックスデータを保持する。なお、インデックスデータ保持部２０６としては、内部メモリ、メモリカードやメモリスティック、スマートメディアなどが用いられる。
【００９９】
ストローク検出部２２０は、利用者が当該携帯型スキャナ２００のマーカ部２３０によって文字を書くと、このときのマーカ部２３０の動き、すなわちストロークを検出する。そして、ストロークにより描かれた文字を認識し、認識した文字を示すテキストデータを生成する。
【０１００】
指定情報取得部２２２は、利用者から入力された指定情報を取得する。ここで、指定情報とは、インデックスデータの編集に関する指定を示す情報や、デジタルデータに対応付けるべき情報である。
【０１０１】
具体的には、指定情報は、例えば取得したインデックスデータが示す編集位置の重要度を示す情報である。例えば、デジタルデータから映像ダイジェストを作成する場合に、重要度を示す情報が対応付けられた編集位置に対応するシーンを必須のシーンとして、映像ダイジェストに加えることができる。また例えば、取得したインデックスデータの削除を指定する情報である。既に複数のインデックスデータを取得している場合には、既に取得している所定のインデックスデータの削除を指定する情報である。
【０１０２】
また例えば、デジタルデータの編集位置に対応付けるべき高解像度静止画データの範囲を指定する範囲指定情報である。ここで、高解像度静止画データの範囲とは、高解像度静止画データが示す静止画のうちの一部の範囲に表された画像のことである。
【０１０３】
また例えば、利用者が当該携帯型スキャナ２００をマーカとして利用し、メモ等を記載した場合に、ストローク検出部２２０がそのときのストロークから生成したテキストデータを、デジタルデータの編集に関する指示を示す情報や、デジタルデータに対応付けるべき情報として取得する。なお、携帯型スキャナ２００のマーカとしての機能については後述する。
【０１０４】
指定情報対応付部２２４は、指定情報取得部２２２が取得した指定情報をインデックスデータ取得部２０４が取得したインデックスデータに対応付ける。削除部２２６は、指定情報取得部２２２からインデックスデータを削除する旨を示す指定情報を受け取ると、指定されたインデックスデータを削除する。
【０１０５】
出力部２１４は、インデックスデータ保持部２０６に格納されているインデックスデータを外部に出力する。
【０１０６】
図６は、携帯型スキャナ２００の外観図である。図６（Ａ）は、携帯型スキャナ２００の全体外観図である。図６（Ｂ）は、携帯型スキャナ２００の先端部分２４０を示す拡大図である。携帯型スキャナ２００は、ペン型に形成されており、先端部分２４０にスキャナ部２０２を有する。また、スキャナ部２０２の近傍にマーカ部２３０を有する。マーカ部２３０はスキャナ部２０２の近傍に配置されているので、例えばパンフレット等の紙面をスキャナ部２０２が走査すると同時に、スキャナ部２０２が走査した画像をマークすることができる。従って、利用者が重要であると判断し、マーキングした領域を同時に静止画データとして読み取ることができる。
【０１０７】
また、携帯型スキャナ２００は、操作ボタン２２０ａ，２２０ｂを有している。操作ボタン２２０ａ，２２０ｂを操作することにより、読取の開始、終了などを指定することができる。さらに、スキャナ部２０２が読み取った静止画データを含むインデックスデータを削除する旨を指示することができる。操作ボタン２２０ａ，２２０ｂによりインデックスデータを削除する旨を指示されると、指定情報取得部２２２は、インデックスデータを削除する旨を示す指定情報を削除部２２６に送り、削除部２２６は、対象となるインデックスデータをインデックスデータ保持部２０６から削除する。また、操作ボタン２２０ａ，２２０ｂによりインデックスデータが示す編集位置の重要度を指定することもできる。
【０１０８】
図７は、高解像度スキャナ３００の機能構成を示す概略ブロック図である。高解像度スキャナ３００は、スキャナ部３０２と、高解像度静止画データ保持部３０４と、出力部３０６とを備えている。
【０１０９】
スキャナ部３０２は、パンフレットなどの書面に描かれた画像を読み取り、読み取った画像を示すデジタルデータを作成する。高解像度静止画データ保持部３０４は、スキャナ部３０２が作成した高解像度静止画データを保持する。出力部３０６は、高解像度静止画データ保持部３０４に保持される高解像度静止画データを外部に出力する。
【０１１０】
図８は、情報編集装置４００の機能構成を示す概略ブロック図である。情報編集装置４００は、デジタルデータ取得部４０２と、インデックスデータ取得部４０４と、高解像度データ取得部４０６と、編集位置検出部４０８と、文字認識部４１０と、文字列照合部４１２と、一致範囲検出部４１４と、不一致範囲検出部４１６と、シーン子ノード作成部４１８と、シーンノード作成部４２０と、シーン非所属ノード作成部４２２と、保持部４３０と、出力部４４０とを有している。
【０１１１】
デジタルデータ取得部４０２は、ビデオカメラ１００が記録した動画および音声を含むデジタルデータを取得する。インデックスデータ取得部４０４は、携帯型スキャナ２００から静止画を含むインデックスデータを取得する。高解像度データ取得部４０６は、高解像度スキャナ３００から高解像度静止画データを取得する。
【０１１２】
文字認識部４１０は、デジタルデータ取得部４０２が取得したデジタルデータ、インデックスデータ取得部４０４が取得したインデックスデータ、および高解像度データ取得部４０６が取得した高解像度データの文字認識を行う。具体的には、デジタルデータ、インデックスデータ、および高解像度データそれぞれに含まれる画像において文字認識を行う。
【０１１３】
文字列照合部４１２は、文字認識部４１０による文字認識の結果に基づいて、インデックスデータに含まれる文字列と、高解像度データに含まれる文字列とを照合する。また、インデックスデータに含まれる文字列と、デジタルデータに含まれる文字列とを照合する。
【０１１４】
シーンノード作成部４２０は、デジタルデータ取得部４０２からデジタルデータを受け取り、デジタルデータの各シーン毎のノードを作成する。
【０１１５】
編集位置検出部４０８は、文字列照合部４１２におけるインデックスデータと高解像度データにおける文字列照合の結果に基づいて、デジタルデータにおける編集位置を特定する。すなわち、編集位置検出部４０８は、デジタルデータの文字認識の結果、およびインデックスデータの文字認識の結果に基づいて、インデックスデータに含まれる文字に一致する文字をデジタルデータから検索することにより、編集位置を検出する。
【０１１６】
一致範囲検出部４１４は、文字列照合部４１２における文字列照合の結果に基づいて、高解像度画像データの一部に一致する対応画像を含むインデックスデータを検出する。ここで、高解像度データ対応情報とは、高解像度データの少なくとも一部の情報に一致する情報のことである。高解像度データの少なくとも一部の情報とは、例えば、高解像度データに含まれる所定の領域における画像と同一の画像を示す静止画データである。
【０１１７】
不一致範囲検出部４１６は、いずれの高解像度データとも一致しない文字列を有するインデックスデータを検出する。
【０１１８】
ここで、本実施の形態における一致範囲検出部４１４および不一致範囲検出部４１６は、本発明のインデックスデータ検出手段を構成する。
【０１１９】
シーン子ノード作成部４１８は、一致範囲検出部４１４が検出したインデックスデータに、当該インデックスデータに一致する高解像度静止画データを対応付ける。シーン子ノード作成部４１８は、さらにこのインデックスデータによって特定される編集位置に、このインデックスデータに対応付けられた高解像度静止画データを対応付ける。すなわち、シーン子ノード作成部４１８は、デジタルデータにおける編集位置を含むシーンに対応付けられた高解像度静止画データを、当該シーンに子ノードとして対応付ける。
【０１２０】
ここで、本実施の形態におけるシーン子ノード作成部４１８は、本発明の高解像度静止画データ対応付手段および高解像度データ編集手段を構成する。
【０１２１】
シーン非所属ノード作成部４２２は、いずれのインデックスデータにも一致しない高解像度静止画データおよび編集位置を特定できないインデックスデータをシーンに属さないノードとしてデジタルデータに対応付ける。
【０１２２】
保持部４３０は、デジタルデータと、デジタルデータに対応付けられたインデックスデータおよび高解像度静止画データを保持する。出力部４４０は、保持部４３０に保持されるデータを外部に出力する。
【０１２３】
なお、本実施の形態においては、ビデオカメラ１００は、出力部１１４を有しており、出力部１１４を介してデータを外部に出力していた。これに対して、他の例としては、ビデオカメラ１００のデジタルデータ保持部１０６が、着脱可能な記録媒体であって、当該記録媒体を介してデータを授受してもよい。この場合、情報編集装置４００のデジタルデータ取得部４０２は、情報編集装置４００に装着された当該記録媒体からデジタルデータを取得してもよい。なお、ビデオカメラ１００は、出力部１１４を有さなくともよい。
【０１２４】
また、同様に、携帯型スキャナ２００のインデックスデータ保持部２０６は、着脱可能な記録媒体であって、かつ出力部２１４を有さなくともよい。この場合、情報編集装置４００のインデックスデータ取得部４０４は、情報編集装置４００に装着された記録媒体からデジタルデータを取得してもよい。さらに、高解像度スキャナ３００についても同様である。
【０１２５】
図９は、情報編集システム１０がデジタルデータを編集するときの処理を示すフローチャートである。図９を参照しつつ、図２において説明したような展示会の様子を撮影したデジタルデータを、パンフレット等の画像を読み込んだインデックスデータおよび高解像度静止画データに基づいて編集する処理について説明する。
【０１２６】
まず、デジタルデータ取得部４０２は、ビデオカメラ１００により撮影されたデジタルデータを取得する（ステップＳ１００）。次に、シーンノード作成部４２０は、取得したデジタルデータに対して、シーン、シーン範囲、およびノードを作成する（ステップＳ１０２）。次に、インデックスデータ取得部４０４は、携帯型スキャナ２００から得られた編集位置、すなわち各シーンを特定するためのインデックスデータを取得する（ステップＳ１０４）。次に、高解像度データ取得部４０６は、高解像度スキャナ３００が読み取った高解像度静止画データを取得する（ステップＳ１０６）。
【０１２７】
次に、デジタルデータとインデックスデータにおける文字認識および文字列照合の結果に基づいて、インデックスデータが示す編集位置を検出する。そして、デジタルデータの編集位置にインデックスデータを付帯情報として対応付ける（ステップＳ１１０）。さらに、インデックスデータに対して、高解像度静止画データを付帯情報としてさらに対応付ける（ステップＳ１１２）。以上で、情報編集装置４００における編集処理が終了する。
【０１２８】
図１０は、情報編集装置４００が取得した各データの流れを示す図である。一連の映像データ、すなわちデジタルデータ１５０は、ビデオカメラ１００において、連続録画単位の各シーン１６０に分割されている。この分割は論理的に分けられていれば十分であり、物理的に分割されている必要はない。なお、ビデオカメラ１００において、デジタルデータ１５０が分割されていない場合には、情報編集装置４００は、各フレームの録画時刻を比較することにより、連続録画単位の各シーン１６０に分割する処理を行う。
【０１２９】
１つのデジタルデータ１５０に対して得られた複数のインデックスデータ２５０ａ，２５０ｂ・・・は、文字認識部４１０によって文字認識され、文字認識の結果得られた文字を示すテキストデータ２５２ａ，２５２ｂ・・・が作成される。また、１つのデジタルデータ１５０に対して得られた複数の高解像度静止画データ３５０ａ，３５０ｂ・・・は、文字認識部４１０によって文字認識され、文字認識によりさらにテキストデータ３５２ａ，３５２ｂ・・・が作成される。
【０１３０】
図１１は、図９に示すステップＳ１１０における情報編集装置４００の詳細な処理を示すフローチャートである。まず、文字認識部４１０は、インデックスデータ取得部４０４が取得した全てのインデックスデータに対して、文字認識を行う（ステップＳ２００）、次に、編集位置検出部４０８は、インデックスデータ取得部４０４が取得したインデックスデータに、タイミング属性を示す指定情報が対応付けられているか否か確認する。タイミング属性を示す指定情報が対応付けられている場合には（ステップＳ２０２，Ｙｅｓ）、タイミング属性に基づいて、検索対象となる範囲を特定する（ステップＳ２０４）。
【０１３１】
ここで、タイミング属性について説明する。デジタルデータを記録するのと同時に、同一内容を含むインデックスデータを記録する作業を１人で行うのは困難である。そこで、デジタルデータの録画を一旦停止した後、または録画の前に、インデックスデータとすべきパンフレット等の情報を携帯型スキャナ２００により取り込む。そして、この場合には、インデックスデータを取り込むときに、タイミング属性として、インデックスデータの取得時刻の前に撮影したデジタルデータに対応付けるのか、後に撮影したデジタルデータに対応付けるのかを操作ボタン２２０ａ，２２０ｂを操作して入力しておく。このとき入力される情報がタイミング属性を示す指定情報である。
【０１３２】
例えば、「直前シーン」、「直後シーン」、および「撮影中シーン」などが選択可能に設定されており、利用者がこれらのタイミングのうち、いずれかのタイミングを選択することにより、タイミング属性が決定される。そして、指定情報取得部２２２はタイミング属性を示す指定情報を取得する。
【０１３３】
これにより、情報編集装置４００の編集位置検出部４０８は、タイミング属性を示す指定情報に基づいて、検索対象となる範囲を特定するための基準となる位置を特定することができる。また、このように、検索対象を予め限定することにより、デジタルデータに含まれる全フレームとインデックスデータとの比較を行う必要がなくなるため、処理の効率化を図ることができる。
【０１３４】
次に、文字認識部４１０は、検索対象の範囲に含まれる各フレーム画像に対して文字認識を行う（ステップＳ２０６）。次に、文字列照合部４１２は、インデックスデータにおける文字認識の結果と、各フレーム画像における文字認識の結果を文字列照合し、一致範囲検出部４１４は、インデックスデータの文字列に一致する文字列を含むフレームを編集位置として検出する（ステップＳ２０８）。次に、検出した編集位置に、インデックスデータを付帯情報として対応付ける（ステップＳ２１０）。なお、インデックスデータに、付帯情報としてデジタルデータの当該編集位置に対応付けるべき情報を指定情報が含まれている場合には、これらもともに編集位置に対応付ける。
【０１３５】
ここで、編集位置に対応付けるべき情報としては、携帯型スキャナ２００が、利用者からの入力により取得した、重要度を示す指定情報がある。また、指定情報としては、利用者が携帯型スキャナ２００を用いてメモした際のストローク検出により作成されたテキストデータであってもよい。
【０１３６】
全てのインデックスデータに対して、ステップＳ２０２からステップＳ２１４の処理が完了するとステップＳ１１０の処理が完了し、図９で示したステップＳ１１２へ進む。
【０１３７】
また、ステップＳ２０２において、デジタルデータに対してタイミング属性を示す指定情報が対応付けられていない場合には（ステップＳ２０２，Ｎｏ）、デジタルデータにおいて、インデックスデータに対応付けられている取得時刻に対応する記録時刻を検出する（ステップＳ２２０）。次に、検出した記録時刻に基づいて編集位置を検出する際の、デジタルデータにおける検索範囲を特定する（ステップＳ２２２）。そして、ステップＳ２０６に進む。
【０１３８】
具体的には、例えば、「直前シーン」を指定するタイミング属性の場合には、インデックスデータに対応付けられている取得時刻よりも前の時刻に記録された範囲、すなわち、取得時刻よりも前の記録時刻に対応付けられたデジタルデータを検索範囲として特定する。
【０１３９】
また、「撮影中シーン」を指定するタイミング属性の場合には、インデックスデータに対応付けられている取得時刻と同じ記録時刻に対応付けられているフレームを検索対象とする。なお、他の例としては、インデックスデータに対応付けられている記録時刻を中心とする所定の時間幅に含まれるシーンを検索範囲として特定してもよい。例えば、記録時刻を中心とする、前後５分の範囲など、時間幅は予め決定されていてもよい。
【０１４０】
他の例としては、タイミング属性を示す指定情報として、利用者は、携帯型スキャナ２００において、具体的な時刻を時分により指定してもよい。この場合には、情報編集装置４００においては、タイミング属性として示された時刻に一致する記録時刻に対応するフレームを検索範囲として特定する。
【０１４１】
図１２は、デジタルデータに含まれる文字列とインデックスデータに含まれる文字列照合について説明するための図である。図１２は、製品カタログ５２０を示している。ビデオカメラ１００は、製品カタログ５２０の全体を撮影する。さらに、この製品カタログ５２０のうち、製品名が記載された領域５２２を携帯型スキャナ２００を用いて読み取る。この場合、携帯型スキャナ２００において、領域５２２を示す画像データがインデックスデータとして生成される。また、ビデオカメラ１００によって記録されたデジタルデータにおいても製品カタログ５２０の全体の静止画データが含まれている。このように、デジタルデータとインデックスデータは、同一の文字列を含んでいるので、両者の文字列を照合することによりインデックスデータに対応するデジタルデータの編集位置を検出することができる。
【０１４２】
図１３は、図９に示すステップＳ１１２における情報編集装置４００の詳細な処理を示すフローチャートである。
【０１４３】
文字認識部４１０は、全ての高解像度静止画データの文字認識を行う（ステップＳ３００）。次に、デジタルデータに対応付けられているインデックスデータに含まれる指定情報を参照し、高解像度静止画データに対する範囲属性の値をチェックする（ステップＳ３０２）。
【０１４４】
ここで、図１４から図１６を参照しつつ、範囲属性の値について説明する。本実施の形態においては、範囲属性として、「全ページ」、「該当部」、および「行頭部分」が指定可能である。図１４から図１６はそれぞれ、「全ページ」、「該当部」、および「行頭部分」を示している。図１４に示すように、「全ページ」とは、対象となるページに記載されたすべての情報を含む。従って、「全ページ」を示す範囲属性が指定されている場合には、高解像度静止画データが示す静止画のすべてのデータが選択される。
【０１４５】
また、図１５に示すように、「該当部」とは、対象となるページに記載された情報のうち、利用者から指定された領域のことである。すなわち、図１５においては、該当部として領域５５０が指定されており、この領域５５０内に記載された情報が「該当部」に相当する。
【０１４６】
また、図１６に示すように、「行頭部」とは、対象となるページに文書が記載されている場合において、各行の先頭に記載された文字を含む領域のことである。例えば、図１６に示すように、横書き文書の場合には、領域５６０が行頭部に相当する。また、このように、ページ全体における全ての行の先頭の文字を含む領域５６０が指定された場合には、領域５６０に対する「行頭部」を示す範囲属性が指定する領域は、全ページ５６２となる。また、例えば、先頭から３行目までの「行頭部」を示す範囲属性が指定する領域は、先頭から３行目までを含む領域５７２となる。
【０１４７】
利用者は、携帯型スキャナ２００により、「全ページ」、「該当部」、または「行頭部分」の画像を読み取り、さらに操作ボタン２２０ａ，２２０ｂを操作して、読み取ったデータが、「全ページ」、「該当部」、および「行頭部分」のいずれに該当するかを指定する。これにより、携帯型スキャナ２００によって、読み取った静止画データと、当該静止画データに対する範囲属性を含んだインデックスデータが作成される。
【０１４８】
再び、説明を図１３に戻す。「全ページ」または「該当部」を示す範囲属性の値がインデックスデータに含まれている場合には、（ステップＳ３０２，Ｙｅｓ）、対象となるデジタルデータに対して取得したｍ個のインデックスデータのうちｉ番目のインデックスデータＰｉと、対象となるデジタルデータに対して取得したｎ個の高解像度静止画データのうちｋ番目の高解像度静止画データＳｋとを照合する（ステップＳ３０４）。
【０１４９】
インデックスデータＰｉと、高解像度静止画データＳｋとが一致した場合には（ステップＳ３０６，Ｎｏ）、高解像度静止画データＳｋのうち、範囲属性に示されている該当部分の矩形に含まれる静止画データと、当該静止画データに含まれる文字を示すテキストデータとを含む該当部データの組を作成し、この組を高解像度静止画データＳｋに繋ぐ。さらに、該当部データの組と繋がった高解像度静止画データＳｋを、対応するインデックスデータＰｉと双方向にリンクさせる（ステップＳ３０８）。
【０１５０】
なお、ここで、一致するとは、完全に一致する必要はなく、ある程度以上の一致度の場合を一致と判断することとする。
【０１５１】
一方、ステップＳ３０２において、「行頭部」を示す範囲属性の値がインデックスデータに含まれている場合には（ステップＳ３０２、Ｎｏ）、高解像度静止画データにおける文字認識の結果得られた行頭部における文字と、テキストデータとしてのインデックスデータとを比較する（ステップＳ３２０）。なお、この場合、行頭部に相当する文字は、意味をなす文字列を示していないので、行頭部に相当する文字に対して言語処理は行わない。
【０１５２】
インデックスデータＰｉと、高解像度静止画データＳｋとが一致した場合には、一致した部分を行頭とする範囲を決定し、高解像度静止画データＳｋの該当部分の矩形に含まれる静止画データと、当該静止画データに含まれる文字を示すテキストデータとを含む該当部データの組を作成し、この組を高解像度静止画データＳｋに繋ぐ。さらに、該当部データの組と繋がった高解像度静止画データＳｋを、対応するインデックスデータＰｉと双方向にリンクさせる（ステップＳ３２４）。
【０１５３】
以上の処理、すなわちステップＳ３０４〜ステップＳ３０８またはステップＳ３２０〜ステップＳ３２６を、インデックスデータＰｉと全ての高解像度静止画データとの間で行う（ステップＳ３１０，ステップＳ３２６）。さらに、ステップＳ３０２からステップＳ３１０における処理を、全てのインデックスデータＰｉに対して行う（ステップＳ３３０）。以上で、ステップＳ１１２における処理が完了する。
【０１５４】
高解像度静止画データは、撮影後に高解像度スキャナ３００がパンフレット等を読み取ることによって生成されたデータである。従って、デジタルデータとの対応関係は不明である。しかし、以上の処理により、インデックスデータを介して、高解像度静止画データを対応付けるべき編集位置を容易に検出することができる。
【０１５５】
図１７は、情報編集システム１０によって作成されたデジタルデータ映像記述情報の一例を模式的に示している。デジタルデータ記述情報７５０としては、当該デジタルデータを所定の時間ごとに分割することにより得られた複数の連続撮影映像、すなわちシーンの子ノードが形成されている。そして、各シーンには、子ノードとして当該シーンに対応付けられたインデックスデータおよび高解像度静止画データが対応付けられている。
【０１５６】
具体的には、各シーンには、子ノードとして、シーン範囲７７０、インデックスデータリスト７８０、高解像度静止画データリスト７９０、および静止画データリスト７７２が対応付けられている。
【０１５７】
ここで、シーン範囲７７０とは、当該シーンの最初の位置に相当する録画時刻および当該シーンの最後の位置に相当する録画時刻を示す情報である。シーン範囲７７０には、シーンの開始から最後までの時間を示す情報がさらに含まれていてもよい。
【０１５８】
また、インデックスデータリスト７８０とは、当該シーンに対応付けられた複数のインデックスデータを対応付けられる編集位置の順に整列する情報である。同様に、高解像度静止画データリスト７９０は、当該シーンに対応付けられた複数の高解像度静止画データを対応付けられる編集位置の順に整列する情報である。また、静止画データリスト７７２は、当該シーンに含まれる各フレームを再生時間順に整列する情報である。
【０１５９】
インデックスデータリスト７８０には、子ノードとして、インデックスデータが示すインデックス静止画データ７８２が対応付けられている。１つのシーンに対して、複数のインデックスデータが対応付けられている場合には、インデックスデータリスト７８０と、インデックス静止画データ７８２とは、１対多の関係になる。さらに、インデックス静止画データ７８２には、子ノードとして、インデックス静止画データ７８２における文字認識の結果得られインデックステキストデータ７８４が対応付けられている。
【０１６０】
高解像度静止画データリスト７９０には、子ノードとして、高解像度静止画データ７９２が対応付けられている。さらに、各高解像度静止画データ７９２には、子ノードとして、全範囲高解像度静止画データ７９４および特定矩形範囲高解像度静止画データ７９６が対応付けられている。これらは、指定情報における範囲属性により指定された領域における高解像度静止画データである。具体的には、全範囲高解像度静止画データ７９４は、高解像度静止画データの全範囲における高解像度静止画データである。また、特定矩形範囲高解像度静止画データ７９６は、高解像度静止画データのうち、一部の領域に表された画像を示す高解像度静止画データである。
【０１６１】
全範囲高解像度静止画データ７９４には、子ノードとして全範囲における文字認識の結果得られた全範囲テキストデータ７９５が対応付けられている。また、特定矩形範囲高解像度静止画データ７９６には、子ノードとして特定の矩形範囲に含まれる文字を示す特定範囲テキストデータ７９７が対応付けられている。ここで、１つの高解像度静止画データに対して指定情報により、複数の領域が指定されている場合には、１つの高解像度静止画データには、子ノードとして、複数の特定矩形範囲高解像度静止画データおよび特定矩形範囲テキストデータが対応付けられている。
【０１６２】
また、各インデックス静止画データ７８２と高解像度静止画データ７９２とは、双方向にリンクしている。静止画データリスト７７２には、子ノードとして、複数の静止画データ７７４が対応付けられている。
【０１６３】
また、その他関連情報７６３には、子ノードとして高解像度静止画データリスト７９０が対応付けられている。さらに、高解像度静止画データリスト７９０には、子ノードとして複数の高解像度静止画データ７６５および高解像度静止画データ７６５のテキストデータ７６６が対応付けられている。
【０１６４】
なお、その他関連情報７６３として管理される高解像度静止画データは、いずれのシーンにも属さないデータである。ここで、いずれのシーンにも属さないとは、文字列照合により、一致するインデックスデータの特定に成功しなかったデータのみならず、当該デジタルデータ全体に対応付けるべき旨指定されたデータも該当する。
【０１６５】
以上の構成は、マルチメディアコンテンツの記述インターフェースであるＭＰＥＧ−７（Ｍｕｌｔｉｍｅｄｉａ  Ｃｏｎｔｅｎｔ  Ｄｅｓｃｒｉｐｔｉｏｎ  Ｉｎｔｅｒｆａｃｅ）形式で管理するのが好ましい。ＭＰＥＧ−７は、ＸＭＬ形式の一種であり、動画や音声などのマルチメディアコンテンツを有効に検索するための記述方法の標準技術である。ＭＰＥＧ−７により記述することにより、コンテンツ要素の抽出および検索を容易に行うことができる。
【０１６６】
携帯型スキャナ２００において、同一の書類を複数回読み取った場合には、同一の内容を含む複数のインデックスデータが生成される。この場合には、各インデックスデータをそれぞれ対応する編集位置に対応付ける。従って、同一の内容を含むインデックスデータが同一のシーンに対応付けられている場合もある。また、同一の内容を含むインデックスデータが異なるシーンに対応付けられている場合もある。
【０１６７】
また、同一の書類のうち、異なる領域に対応する範囲矩形静止画データが同一または異なるシーンに対応付けられていてもよい。
【０１６８】
図１８は、情報編集システム１０によって作成された具体的なデジタルデータ記述情報を模式的に示す図である。図１８は、展示会「ＭＭ  Ｅｘｐｏ２００２」において、興味のある商品Ｍｏｖｉｅ  Ｔｏｏｌなどを撮影し、撮影したデジタルデータを編集して作成した出張報告資料を示している。図１８に示すデジタルデータ記述情報を作成する過程を説明する。まず、利用者は、展示会の入り口で看板など、全体の様子を撮影する。入り口でパンフレットＡをもらい、パンフレットに記載された展示会名「ＭＭ  Ｅｘｐｏ２００２」、および開催日の「２００２／０８／３０」を携帯型スキャナ２００でマークする。範囲属性を特に指定しない場合には、デフォルト値「該当部」と判断される。また、タイミング属性を特に指定しない場合には、デフォルト値「直前シーン」と判断される。
【０１６９】
これにより、携帯型スキャナ２００は、スキャンした２つの静止画データ、２つの静止画データの文字認識により得られた「ＭＭ  Ｅｘｐｏ２００２」、「２００２／０８／３０」の２つの文字列、取得時刻を取得する。さらに、タイミング属性の指定なし、範囲属性指定なしを示す指定情報を取得する。これらをデータ１とする。
【０１７０】
他の例としては、ビデオカメラ１００と携帯型スキャナ２００とが接続されており携帯型スキャナ２００のインデックスデータ保持部２０６をビデオカメラ１００が有していてもよい。これ以外にも、外部記録装置を装着している場合には、この記録装置がインデックスデータ保持部２０６を有していてもよい。このように、インデックスデータ保持部２０６を実現するハードウェアの種類および場所は実施の形態に限定されるものではない。
【０１７１】
また、他の例としては、携帯型スキャナ２００は文字認識部をさらに備えていてもよい。この場合には、携帯型スキャナ２００において、取得した静止画データにおける文字認識を行い、インデックスデータ保持部２０６は、文字認識の結果得られたテキスデータのみを保持してもよい。これによれば、インデックスデータ保持部２０６のメモリ容量が少ない場合であっても、複数のインデックスデータを保持することができる。Ｒ社のＭｏｖｉｅ  Ｔｏｏｌブースではパネル展示とデモンストレーションが行われていた。興味をもち、Ｒ社とＭｏｖｉｅ  Ｔｏｏｌのパネルの全景を撮影しながら配布カタログのタイトル「ＭＰＥＧ−７  記述ツール  Ｒ−Ｍｏｖｉｅ  Ｔｏｏｌ」を携帯型スキャナ２００でマークする。さらに、カタログのページ全体にこのツールについての説明が記載されている場合には、対象属性として「ページ全体」を指定する。
【０１７２】
このとき、携帯型スキャナ２００において、スキャンした１つの静止画データ、文字認識により得られた「ＭＰＥＧ−７  記述ツール  Ｒ−Ｍｏｖｉｅ  Ｔｏｏｌ」という文字列、取得時刻、タイミング属性の指定なし、対象属性「ページ全体」、以上のデータが記録される。これをデータ２とする。
【０１７３】
撮影を中断し、「会社名」に割り付けられているボタンを押しながら「ＲＲ」をマークする。このとき携帯型スキャナ２００において、以下のデータが記録される。これをデータ３とする。すなわち、スキャンした１つの静止画データ、文字認識により得た「ＲＲ」という文字列、取得時刻、タイミング属性の指定なし、対象属性の指定なしを示すデータである。
【０１７４】
なお、スキャン箇所を間違った場合には、修正ボタンを押すことにより、所望の静止画データを削除することができる。携帯型スキャナ２００に、液晶表示部が設けられている場合には、これまで記録したインデックスデータを表示させ、対象項目を選択させる構成としてもよい。
【０１７５】
携帯型スキャナ２００の蛍光ペンでメモ「重要」と書くと、ストローク検出部２２０はストロークを検出し、携帯型スキャナ２００において、以下のデータが記録される。すなわち、ストロークを保持したデータ、ストロークによる認識により得た「重要」という文字列、メモを書いた時刻、タイミング属性「直前シーン」、対象属性「なし」（無効）を示すデータである。これをデータ４とする。
【０１７６】
持ち帰りはできないものの貴重な構成図が展示されていたので、それをペン型スキャナーでスキャンする。以下のデータが記録される。すなわち、図をスキャンした静止画データ、取得時刻、タイミング属性「直前シーン」、対象属性「該当部」である。これをデータ５とする。
【０１７７】
他にもいくつかのブースに立ち寄って同じように、ビデオカメラ１００による撮影と、携帯型スキャナ２００によるスキャンを繰り返し、会社に戻る。
【０１７８】
帰社後、ビデオカメラ１００、携帯型スキャナ２００、および高解像度スキャナ３００を情報編集装置４００に接続する。そして、展示会のパンフレットを高解像度スキャナ３００に読み取らせ、高解像度スキャナ３００において高解像度静止画データを生成する。その後、図＊から図＊において説明した情報編集装置４００における処理が行われ、図１８に示すデータ構造が自動的に生成される。これが映像インデックスとなる。
【０１７９】
すなわち、図１８に示すように、デジタルデータにおけるシーン１には、データ１が対応付けられている。具体的には、子ノードとして、シーン範囲７７０ａと、インデックスデータデータリスト７８０が対応付けられている。さらに、インデックスデータリスト７８０ａには、シーン１に対応付けるべく取得したインデックスデータ、すなわち、「ＭＭ  Ｅｘｐｏ  ２００２」を示すテキストデータ７８４ａ、およびこれに対応する静止画データ７８２ａが対応付けられている。
【０１８０】
また、シーン２のインデックスデータリスト７８０ｂには、データ２からデータ５が対応付けられている。具体的には、インデックスデータリスト７８０ｂには、「ＭＰＥＧ−７  記述ツール  Ｒ−Ｍｏｖｉｅ  Ｔｏｏｌ」を示すテキストデータ７８４ｃ、「ＲＲ」を示すテキストデータ７８４ｄ、「重要」を示すテキストデータ７８４ｅが対応付けられている。さらに、各テキストデータには、当該テキストデータの抽出元となる静止画データ７８２ｃ，７８２ｄ，７８２ｅが対応付けられている。また、インデックスデータリスト図を示す静止画データ７８４ｆが対応付けられている。さらに、「ＲＲ」を示すテキストデータ７８４ｄには、当該データが会社名を示すデータである旨を示すタグ７８４ｇがさらに対応付けられている。
【０１８１】
なお、図１８に示したデータ構造においては、テキストデータに、当該テキストデータに対応する静止画データが対応付けられているが、これらの対応関係は、逆でもよい。すなわち、インデックスデータリスト７８０ｂに静止画データが対応付けられ、さらにこれらの静止画データにテキストデータが対応付けられていてもよい。
【０１８２】
シーン２には、さらに子ノードとして高解像度静止画データリスト７９０が対応付けられており、高解像度静止画データリスト７９０には、子ノードとして、高解像度スキャナ３００において読み取った「Ｍｏｖｉｅ  Ｔｏｏｌ」の配布カタログ全体を示す高解像度静止画データ７９４と、これに対応するテキストデータ７９５が対応付けられている。
【０１８３】
また、その他関連情報７６３には、入り口にて配布されたパンフレット「ＭＭＥｐｘｏ  ２００２」のパンフレット全体を示す高解像度静止画データ７６５が対応付けられている。
【０１８４】
図１９は、情報編集装置４００によって作成されたデジタルデータ記述情報を用いた検索を行うための検索条件を受け付ける検索画面を示す図である。利用者は、検索画面８００において、会社名、製品名などを検索キーとして、デジタルデータにおける所望のシーンを検索することができる。利用者は、属性別の一覧から選択してもよいし、フリーキーワードを入力して検索を行ってもよい。このように、情報編集装置４００によって作成されたデータ構造を利用すれば、映像シーン一覧表示や、会社名による製品デモ検索などを実現することができる。上記のデータ構造は属性別になっていないが、そのように変換して属性別の以下のようなＩ／Ｆを作成することも容易に実現可能である。
【０１８５】
セミナーや学会などでは、図２０に示すようなプログラム８１０が配布される場合が多く、情報編集システム１０を利用することにより、このようなプログラムに沿って進行されるセミナー等の様子を撮影したデジタルデータを編集することもできる。
【０１８６】
セミナーにおいて、席でビデオカメラ１００をセットし、各セッションを撮影する。さらに、撮影中、すなわち講演を聞きながら図２０に示すプログラム８１０における該当部分を携帯型スキャナ２００で読み取る。さらに、個々の講演者から資料が配布された場合には、講演の進行に沿って配布資料の該当部分も読み取る。そして、セミナーの後に、情報編集装置４００において、デジタルデータ、インデックスデータ、および後に生成する高解像度静止画データを利用して、デジタルデータを編集する。これにより、自動的に映像インデックスを作成することができる。
【０１８７】
この場合は、携帯型スキャナ２００のスキャンのタイミングでシーン単位としてもよい。これにより正確な映像インデックスが作成できる。
【０１８８】
インデックスデータとして利用可能な資料としては、当日の進行プログラム、事前予定表、出演者メンバー表など、さまざまな印刷物が考えられる。これらの資料における必要部分を映像記述に利用すればかなりの自動インデキシングが可能である。例えば旅行映像を対象とした場合でも、事前予定表があれば利用することができる。
【０１８９】
図２１は、情報編集装置４００のハードウェア構成を示す図である。情報編集装置４００は、ハードウェア構成として、情報編集装置４００における情報編集の処理を実行するプログラムなどが格納されているＲＯＭ５２、ＲＯＭ５２内のプログラムに従って情報編集装置４００の各部を制御し、情報編集等を実行するＣＰＵ５１、ワークエリアが形成され、情報編集装置４００の制御に必要な種々のデータが記憶されているＲＡＭ５３、ネットワークに接続して、通信を行う通信Ｉ／Ｆ５７、および各部を接続するバス６２を備えている。
【０１９０】
先に述べた情報編集装置４００における情報編集処理を実行する情報編集プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【０１９１】
また、本実施形態の情報編集プログラムを、インターネット等のネットワークに接続されたコンピュータ上に格納し、ネットワーク経由でダウンロードさせることにより提供するように構成しても良い。
【０１９２】
この場合には、情報編集プログラムは、情報編集装置４００において上記記録媒体から読み出して実行することにより主記憶装置上にロードされ、上記ソフトウェア構成で説明した各部が主記憶装置上に生成されるようになっている。
【０１９３】
（実施の形態２）
図２２は、実施の形態２にかかる情報編集システム１０の全体構成を示す図である。実施の形態２にかかる情報編集システム１０は、ビデオカメラ１００にかえてデジタルカメラ１５０を備えている。この点で、実施の形態２にかかる情報編集システム１０は、実施の形態１にかかる情報編集システム１０と異なる。
【０１９４】
実施の形態２にかかる情報編集システム１０は、デジタルカメラ１５０が撮影した複数の静止画データを編集する。具体的には、デジタルカメラ１５０において例えば１０枚の写真を撮影し、デジタルデータとして記録する。このうち、３枚目の写真を編集したい場合には、撮影中に３枚目の写真を示すインデックスデータを携帯型スキャナ２００を用いて作成しておく。そして、後に、情報編集装置４００において、携帯型スキャナ２００によって生成されたインデックスデータに基づいて、デジタルカメラ１５０が記録したデジタルデータのうち３枚目の写真に対応する静止画データを編集位置として検出し、検出した静止画データに対して、付帯情報を対応付ける。すなわち、実施の形態２においては、情報編集装置４００は、編集位置として、複数の静止画データのうち編集対象となる一つの静止画データを検出する。
【０１９５】
図２３は、実施の形態２にかかる情報編集装置４００により編集された後の静止画データ６１０と、当該静止画データ６１０に対応付けられた付帯情報７３０，７３２，７３４とを示している。ここで、静止画データ６１０は、撮影時刻の順に配列された複数の静止画データ６１０ａ，６１０ｂ，６１０ｃ・・・の集合である。各、静止画データ６１０ａ，６１０ｂ，６１０ｃ・・・には、それぞれ記録時刻６１２ａ，６１２ｂ，６１２ｃ・・・が対応付けられている。
【０１９６】
また、各静止画データ６１０には、携帯型スキャナ２００によりインデックスデータとして生成されたテキストデータ７３０，７３２や、インデックスデータとして制しえされた静止画データ７３４が付帯情報として対応付けられている。静止画データ６１０には、さらに高解像度静止画データ７３６も対応付けられている。
【０１９７】
図２４は、実施の形態２にかかるデジタルカメラ１５０の機能構成を示すブロック図である。デジタルカメラ１５０は、デジタルデータ記録部１５２と、デジタルデータ保持部１０６と、出力部１１４と、時計部１１０と、記録時刻対応付部１１２とを有している。デジタルデータ記録部１５２は、図示せぬ撮像部によって撮像された静止画を示すデジタルデータを記録する。デジタルデータ保持部１０６は、デジタルデータ記録部１５２が記録したデジタルデータを保持する。
【０１９８】
なお、出力部１１４、時計部１１０、および記録時刻対応付部１１２の機能構成は、実施の形態１において図４を参照しつつ説明したビデオカメラ１００における出力部１１４、時計部１１０、および記録時刻対応付部１１２の機能構成と同様である。なお、デジタルデータ記録部１５２は、複数の静止画データを１つのブロックとして管理してもよい。例えば、順に撮影した１０枚の静止画データに対して同一のブロックＩＤを付与してデジタルデータ保持部１０６に保持させてもよい。この場合、１つのブロックに含まれる静止画データを１つのノードとしたデータ構成が形成される。
【０１９９】
これ以外の、情報編集システム１０の構成および機能は、実施の形態１において説明した情報編集システム１０の構成および機能と同様である。
【０２００】
（実施の形態３）
図２５は、実施の形態３に係る情報編集システム１０の全体構成を示す図である。実施の形態３に係る情報編集システム１０は、ビデオカメラ１００にかえて再生装置１７０を備えている。この点で、実施の形態３にかかる情報編集システム１０は、実施の形態１に係る情報編集システム１０および実施の形態２にかかる情報編集システム１０と異なる。なお、再生装置１７０は、本発明の出力装置を構成する。
【０２０１】
図２６は、実施の形態３にかかる再生装置１７０の機能構成を示すブロック図である。再生装置１７０は、再生部１７２と、デジタルデータ保持部１７４と、出力部１１４と、時計部１１０と、再生時刻対応付部１７６と、取得部１７８とを有している。
【０２０２】
デジタルデータ保持部１７４は、デジタルデータを保持している。再生部１７２は、デジタルデータ保持部１７４に保持されているデジタルデータを再生する。取得部１７８は、利用者から、再生部１７２において再生中のフレームに対して、再生時刻を対応付けるべき旨の指示を取得する。再生時刻対応付部１７６は、取得部１７８から、再生時刻を対応付けるべき旨の指示を受け取る。そして、指示を受け取ると、時計部１１０が計測している時刻を再生時刻として、そのとき再生部１７２が再生しているフレームに対応付けて、デジタルデータ保持部１７４に保持させる。
【０２０３】
出力部１１４および時計部１１０の構成および機能は、実施の形態１において図４を参照しつつ説明したし出力部１１４および時計部１１０の構成および機能と同様である。
【０２０４】
図２７は、実施の形態３にかかる情報編集システム１０において、インデックスデータを作成する方法を説明するための図である。実施の形態３にかかる情報編集システム１０においては、再生装置１７０がデジタルデータを再生しているときに、携帯型スキャナ２００が当該デジタルデータに対するインデックスデータを生成する。
【０２０５】
具体的には、再生装置１７０において編集したいシーンが再生されているときに、まず、再生装置１７０のリモコン１８０の操作ボタン１８２によりデジタルデータに再生時刻を対応付けるべき旨の指示を入力する。これにより、再生装置１７０において、再生しているシーンに対して、再生時刻が対応付けられる。
【０２０６】
一方、このとき、携帯型スキャナ２００において、例えば再生装置１７０において再生されている製品についてのカタログ５００における所望の領域を読み取る。これにより、携帯型スキャナ２００において、カタログ５００を示す静止画データを含むインデックスデータが生成する。なお、このインデックスデータには、静止画データを取得した取得時刻が対応付けられている。
【０２０７】
ビデオカメラ１００は、再生装置１７０において再生され、編集位置に対応する再生時刻が対応付けられたデジタルデータと、携帯型スキャナ２００によって生成されたインデックスデータとを取得し、さらに高解像度静止画データを取得する。そして、ビデオカメラ１００は、デジタルデータに対応付けられた再生時刻と、インデックスデータに対応付けられている取得時刻とに基づいて、編集位置を検出するための検索範囲を特定し、検索範囲内で編集位置を検出する。なお、再生時刻と取得時刻とに基づいて、検索範囲を特定する処理は、実施の形態１において説明した、記録時刻と取得時刻とに基づいて、検索範囲を特定する処理と同様である。
【０２０８】
このように、実施の形態３によれば、デジタルデータを再生しているときに、編集位置を検出するためのインデックスデータを生成し、このインデックスデータに基づいて、編集位置を検出する。さらに、編集位置に対して、インデックスデータを付帯情報として、デジタルデータに対応付ける。
【０２０９】
実施の形態３にかかる情報編集システム１０のこれ以外の構成および機能は、実施の形態１において説明した情報編集システム１０の構成および機能と同様である。
【０２１０】
以上、本発明を実施の形態を用いて説明したが、上記実施の形態に多様な変更または改良を加えることができる。
【０２１１】
そうした第１変更例としては、携帯型スキャナ２００において、静止画データにかえて文字を示すテキストデータを含むインデックスデータを生成してもよい。すなわち、インデックスデータには、携帯型スキャナ２００において操作ボタン２２０ａ，２２０ｂにより入力された文字列や、ストローク検出により取得した文字列が含まれる。この場合、情報編集装置４００は、インデックスデータにテキストデータとして含まれる文字列と、デジタルデータにおける文字認識の結果得られた文字列とを照合してもよい。この場合も、同様に、インデックスデータに含まれる文字列と一致する文字列を含むフレーム位置を編集位置として検出することができる。
【０２１２】
さらに、インデックスデータとして、高解像度データに含まれる所定の領域における画像に示された文字と同一の文字を含むテキストデータをインデックスデータとして生成してもよい。この場合、テキストデータと、高解像度静止画データにおける文字認識の結果とを比較することにより照合することができる。
【０２１３】
第２の変更例としては、本実施の形態においては、インデックスデータに基づいて、編集位置を特定する場合に、インデックスデータに含まれる文字と、デジタルデータに含まれる文字とを照合し、照合結果に基づいて、編集位置を特定したが、これにかえて、画像同士を照合し、照合結果に基づいて、編集位置を特定してもよい。
【０２１４】
この場合、情報編集装置４００は、文字認識部４１０および文字列照合部４１２にかえて、画像比較部を有する。画像比較部は、インデックスデータとデジタルデータに含まれる画像を比較し、両者が一致するか否かを判断する。または、画像比較部は、インデックスデータと高解像度静止画データに含まれる画像を比較し、両者が一致するか否かを判断する。
【０２１５】
第３の変更例としては、本実施の形態においては、情報編集装置４００が、文字認識部４１０を有していたが、ビデオカメラ１００、携帯型スキャナ２００、および高解像度スキャナ３００がそれぞれ文字認識部４１０を有している場合には、情報編集装置４００は、文字認識部４１０を有しなくともよい。
【０２１６】
【発明の効果】
以上説明したように、請求項１にかかる発明によれば、帯型入力装置のインデックスデータ取得手段は、記録装置のデジタルデータ記録手段が記録したデジタルデータの編集位置における内容の抜粋情報を含むインデックスデータを取得し、情報編集装置の編集位置検出手段は、この抜粋情報に基づいて、効率的にデジタルデータにおける編集位置を検出することができるという効果を奏する。
【０２１７】
また、請求項２にかかる発明によれば、携帯型入力装置のインデックスデータ取得手段は、記録装置のデジタルデータ記録手段がデジタルデータを記録しているときに、デジタルデータの編集位置を示すインデックスデータを取得するので、デジタルデータとして記録された映像内容をより適切に示す内容記述情報をインデックスデータとして取得することができるという効果を奏する。
【０２１８】
また、請求項３にかかる発明によれば、記録装置のデジタルデータ記録手段が、音声データや動画データのように、時間的に連続するデータを記録する場合には、携帯型入力装置のインデックスデータ取得手段は、時間軸に沿った編集位置を示すインデックスデータを取得するので、情報編集装置の編集位置検出手段は、インデックスデータに基づいて、時間軸に沿った編集位置を検出することができるという効果を奏する。
【０２１９】
また、請求項４にかかる発明によれば、記録装置のデジタルデータ記録手段が、複数の静止画データを含むデジタルデータを記録する場合には、携帯型入力装置のインデックスデータ取得手段は、複数の静止画データのうち編集対象となる静止画データを編集位置として識別するインデックスデータを取得するので、情報編集装置の編集位置検出手段は、インデックスデータに基づいて、所定の静止画データを編集位置として検出することができるという効果を奏する。
【０２２０】
また、請求項５にかかる発明によれば、携帯型入力装置のインデックスデータ取得手段は、デジタルデータの編集位置の編集位置情報に一致するデジタルデータ対応情報を含むインデックスデータを取得するので、情報編集装置の編集位置検出手段は、デジタルデータからデジタルデータ対応情報に一致する編集位置情報を検索することにより、編集位置を検出することができる。すなわち、インデックスデータを利用することにより、自動的に、効率的かつ正確に編集位置を検出することができるという効果を奏する。
【０２２１】
また、請求項６にかかる発明によれば、携帯型入力装置のインデックスデータ取得手段は、編集位置に静止画が含まれている場合に、デジタルデータが表す画像のうち少なくとも一部に一致する対応画像の静止画データを含む前記インデックスデータを取得する。従って、情報編集装置の編集位置検出手段は、デジタルデータから対応画像に一致する画像を含む編集位置情報を検索することにより、編集位置を検出することができるという効果を奏する。
【０２２２】
また、請求項７にかかる発明によれば、携帯型入力装置は、スキャナ手段を有するので、記録装置が記録した画像と同一の画像を読み取り、インデックスデータとすることができる。従って、情報編集装置の編集位置検出手段は、インデックスデータが示す画像に基づいて、自動的に、効率的かつ正確に編集位置を検出することができるという効果を奏する。また、このように、記録装置がデジタルデータを記録しているときに、携帯型入力装置がインデックスデータを取得するので、デジタルデータと同一の画像をインデックスデータとして利用することができるという効果を奏する。
【０２２３】
また、請求項８にかかる発明によれば、携帯型入力装置は、撮像手段を有するので、記録装置が記録した画像と同一の画像を読取、インデックスデータとすることができる。従って、情報編集装置の編集位置検出手段は、インデックスデータが示す画像に基づいて、自動的に、効率的かつ正確に編集位置を検出することができるという効果を奏する。
【０２２４】
また、請求項９にかかる発明によれば、デジタルデータおよびインデックスデータは、ともに文字を含んでいるので、インデックスデータと同一の文字を含むデジタルデータを検索することにより、編集位置を検出することができるという効果を奏する。
【０２２５】
また、請求項１０にかかる発明によれば、デジタルデータおよびインデックスデータは、ともに文字を含んでいるので、インデックスデータと同一の文字を含むデジタルデータを検索することにより、編集位置を検出することができるという効果を奏する。
【０２２６】
また、請求項１１にかかる発明によれば、編集位置検出手段は、デジタルデータの記録時刻と、インデックスデータの取得時刻とに基づいて、編集位置を検出することができるので、デジタルデータを作成するときに、共にインデックスデータを取得しておくことによって、記録時刻と取得時刻を比較することにより、自動的に適当な編集位置を特定することができる。また、正確に編集位置を特定できない場合であっても、記録時刻と取得時刻との比較結果に基づいて、編集位置の含まれる範囲を限定することができるので、ひいては効率的に位置を検出することができるという効果を奏する。
【０２２７】
また、請求項１２にかかる発明によれば、情報編集装置のインデックスデータ取得手段は、携帯型入力装置から記録時刻の指定を示す時刻指定情報を取得するので、編集位置検出手段は、デジタルデータに対応付けられている記録時刻と時刻指定情報に基づいて、自動的に編集位置を検出することができる。従って、利用者は、デジタルデータを記録しているときに、指定時刻情報を入力するだけで、デジタルデータを編集する際に、容易に編集位置を特定することができる。従って、内容記述情報の付加をより簡単に行うことができるという効果を奏する。
【０２２８】
また、請求項１３にかかる発明によれば、情報編集装置の編集位置検出手段は、デジタルデータのうち時刻指定情報が示す記録時刻を境界とするデジタルデータの一部の範囲を特定し、特定した範囲内で編集位置を検出する。このように、時刻指定情報に基づいて、デジタルデータにおける検索対象を予め限定することにより、効率的に、編集位置を検出することができるという効果を奏する。
【０２２９】
また、請求項１４にかかる発明によれば、情報編集装置は、前記デジタルデータに比べて高解像度な高解像度データの少なくとも一部の情報に一致する高解像度データ対応情報を含むインデックスデータを検出し、当該インデックスデジタルデータから定まる編集位置に高解像度データを対応付けることができる。このように、インデックスデータに基づいて容易に編集位置を特定できるので、所望の位置に、所望の情報を対応付けることができる。これにより、編集位置を特定し、特定した編集位置に内容記述情報を対応付けるという一連の処理も自動的に行うことができるという効果を奏する。
【０２３０】
また、請求項１５にかかる発明によれば、高解像度画像との関連が明らかとなるような情報をインデックスデータとして取得しておくことにより、インデックスデータに基づいて、容易に高解像度データを対応付けるべき編集位置を特定することができるという効果を奏する。
【０２３１】
また、請求項１６にかかる発明によれば、情報編集装置のインデックスデータ検出手段は、高解像度データが表す画像のうち少なくとも一部に一致する対応画像を含むインデックスデータを検出することができるので、高解像度画像に含まれる画像をインデックスデータとして取得しておくことにより、このインデックスデータに基づいて、当該高解像度画像を対応付けるべき編集位置を自動的にかつ簡単に検出することができるという効果を奏する。
【０２３２】
また、請求項１７にかかる発明によれば、高解像度データ対応付手段は、高解像度データの文字認識の結果に基づいて、高解像度データに含まれる文字に一致する文字情報を含む前記インデックスデータを、対応するインデックスデータとして検出することができる。そして、検出したインデックスデータに基づいて、編集位置を検出することができるので、自動的に所定の位置に高解像度データを対応付けることができるという効果を奏する。
【０２３３】
また、請求項１８にかかる発明によれば、情報編集装置のインデックスデータ取得手段が、高解像度データのうち、編集位置に対応付けるべき部分を指定する部分指定情報をさらに取得した場合に、高解像度データ編集手段は、高解像度データのうち部分指定情報が示す部分の高解像度部分データを編集位置に対応付けることができる。このように、編集位置に多様な形態の情報を対応付けることができるので、利用者の希望に合ったインデキシングを行うことができるという効果を奏する。
【０２３４】
また、請求項１９にかかる発明によれば、記録装置においてデジタルデータを記録しているときに、携帯型入力装置において、デジタルデータに対応付けるべきデータを取得し、かつ当該デジタルデジタルデータに対応付けるべきデータに基づいて、編集位置を特定することができるので、自動的にかつ容易にインデックスデータを編集位置に対応付けることができるという効果を奏する。
【０２３５】
また、請求項２０にかかる発明によれば、情報編集装置の指定情報編集手段は、携帯型入力装置の指定情報取得手段が取得した指定情報を、インデックスデータに基づいて定まる編集位置に対応付けることができる。従って、利用者は、記録装置がデジタルデータを記録しているときに、対応付けたい情報を携帯型入力装置に入力することにより、後に、指定情報として、所望の編集位置に対応付けることができる。このように、簡単にデジタルデータに内容記述情報を対応付けることができるという効果を奏する。
【０２３６】
また、請求項２１にかかる発明によれば、携帯型入力装置のストローク検出手段は、利用者の筆記の際のストロークを検出し、指定情報取得手段は、ストローク検出手段が検出したストロークに関するストローク情報を指定情報として取得することができる。従って、より正確な文字情報を、容易に編集位置に対応付けることができるという効果を奏する。
【０２３７】
また、請求項２２にかかる発明によれば、情報編集装置の重要度情報編集手段は、携帯型入力装置の指定情報取得手段が利用者から取得したインデックスデータの重要度を示す重要度情報を編集位置に対応付けることができる。このように、多様な情報をデジタルデータの編集位置に簡単に対応付けることができるという効果を奏する。
【０２３８】
また、請求項２３にかかる発明によれば、携帯型入力装置は、インデックスデータ取得手段が取得したインデックスデータを削除する削除手段をさらに有するので、携帯型入力装置の利便性が向上する。このため、より簡単に多様な情報をデジタルデータの編集位置に対応付けることができるという効果を奏する。
【０２３９】
また、請求項２４にかかる発明によれば、携帯型入力装置は、スキャナ手段近傍に配置され、当該スキャナ手段が画像を走査するときに、当該スキャナ手段が走査する画像をマーキングするマーカ手段をさらに有するのでので、携帯型入力装置の利便性が向上するという効果を奏する。
【０２４０】
また、請求項２５にかかる発明によれば、携帯型入力装置のインデックスデータ取得手段は、出力装置のデジタルデータ出力手段が出力したデジタルデータの編集位置における内容の抜粋情報を含むインデックスデータを取得する。この抜粋情報には、デジタルデータの映像の内容に関する整理された情報が含まれているため、情報編集装置の編集位置検出手段は、この抜粋情報に基づいて、効率的に編集位置を検出することができるという効果を奏する。
【０２４１】
また、請求項２６にかかる発明によれば、携帯型入力装置のインデックスデータ取得手段は、記録装置のデジタルデータ記録手段がデジタルデータを記録しているときに、デジタルデータの編集位置を示すインデックスデータを取得するので、デジタルデータとして記録された映像内容をより適切に示す内容記述情報をインデックスデータとして取得することができるという効果を奏する。
【０２４２】
また、請求項２７にかかる発明によれば、デジタルデータの映像の内容に関する整理された情報が含まれた抜粋情報を含むインデックスデータに基づいて、効率的にデジタルデータから編集位置を検出することができるという効果を奏する。
【０２４３】
また、請求項２８にかかる発明によれば、デジタルデータを記録しているときに、デジタルデータの編集位置を示すインデックスデータを取得するので、デジタルデータとして記録された映像内容をより適切に示す内容記述情報をインデックスデータとして取得することができるという効果を奏する。
【０２４４】
また、請求項２９にかかる発明によれば、デジタルデータの映像の内容に関する整理された情報が含まれた抜粋情報を含むインデックスデータに基づいて、効率的にデジタルデータから編集位置を検出することができるという効果を奏する。
【図面の簡単な説明】
【図１】実施の形態１に係る情報編集システム１０のシステム全体を示す図である。
【図２】実施の形態１にかかる編集対象となるデジタルデータと、デジタルデータに対応付けられたインデックスデータおよび高解像度静止画データについて説明するための図である。
【図３】携帯型スキャナ２００による読み取りの対象となるカタログ５２０を示す図である。
【図４】ビデオカメラ１００により記録された動画データと、当該動画データに対応付けられた付帯情報とを示す図である。
【図５】ビデオカメラ１００の機能構成を示すブロック図である。
【図６】携帯型スキャナ２００の機能構成を示すブロック図である。
【図７】携帯型スキャナ２００の外観図である。
【図８】高解像度スキャナ３００の機能構成を示す概略ブロック図である。
【図９】情報編集装置４００の機能構成を示す概略ブロック図である。
【図１０】情報編集システム１０がデジタルデータを編集するときの処理を示すフローチャートである。
【図１１】情報編集システム１０がデジタルデータを編集するときのデータの流れを示す図である。
【図１２】図１０に示すステップＳ１１０における情報編集装置４００の詳細な処理を示すフローチャートである。
【図１３】図１０に示すステップＳ１１２における情報編集装置４００の詳細な処理を示すフローチャートである。
【図１４】高解像度静止画データの一致範囲を示す図である。
【図１５】高解像度静止画データの一致範囲を示す図である。
【図１６】高解像度静止画データの一致範囲を示す図である。
【図１７】情報編集システム１０によって作成された映像記述情報を模式的に示す図である。
【図１８】情報編集システム１０によって作成された具体的な映像記述情報を模式的に示す図である。
【図１９】情報編集システム１０によって作成された映像記述情報を用いた検索を行うための検索条件を受け付ける検索画面を示す図である。
【図２０】セミナーで配布されるパンフレットを示す図である。
【図２１】情報編集システム１０のハードウェア構成を示す図である。
【図２２】実施の形態２にかかる情報編集システム１０の全体構成を示す図である。
【図２３】実施の形態２にかかる情報編集システム１０により記録された静止画データと、当該静止画データに対応付けられた付帯情報とを示す図である。
【図２４】実施の形態２にかかるデジタルカメラ１５０の機能構成を示すブロック図である。
【図２５】実施の形態３にかかる情報編集システム１０の全体構成を示す図である。
【図２６】実施の形態３にかかる再生装置１７０の機能構成を示すブロック図である。
【図２７】実施の形態３にかかる情報編集システム１０において、インデックスデータを作成する方法を説明するための図である。
【符号の説明】
１０  情報編集システム
１００  ビデオカメラ
１０２  デジタルデータ記録部
１０４  連続録画単位分割部
１０６  デジタルデータ保持部
１１０  時計部
１１２  記録時刻対応付部
１１４  出力部
１５０  デジタルカメラ
１５０  デジタルデータ
１５２  デジタルデータ記録部
１７０  再生装置
１７４  デジタルデータ保持部
１７６  再生時刻対応付部
１７８  取得部
１８０  リモコン
１８２  操作ボタン
２００  携帯型スキャナ
２０２  スキャナ部
２０４  インデックスデータ取得部
２０６  インデックスデータ保持部
２１２  取得時刻対応付部
２２０  ストローク検出部
２２０ａ，ｂ  操作ボタン
２２２  指定情報取得部
２２４  指定情報対応付部
２２６  削除部
２３０  マーカ部
２４０  先端部分
３００  高解像度スキャナ
３０２  スキャナ部
３０４  高解像度静止画データ保持部
４００  情報編集装置
４０２  デジタルデータ取得部
４０４  インデックスデータ取得部
４０６  高解像度データ取得部
４０８  編集位置検出部
４１０  文字認識部
４１２  文字列照合部
４１４  一致範囲検出部
４１６  不一致範囲検出部
４１８  シーン子ノード作成部
４２０  シーンノード作成部
４２２  シーン非所属ノード作成部
４３０  保持部
４４０  出力部
８００  検索画面
【図１】
2004222083.tif 000003
【図２】
2004222083.tif 000004
【図３】
2004222083.tif 000005
【図４】
2004222083.tif 000006
【図５】
2004222083.tif 000007
【図６】
2004222083.tif 000008
【図７】
2004222083.tif 000009
【図８】
2004222083.tif 000010
【図９】
2004222083.tif 000011
【図１０】
2004222083.tif 000012
【図１１】
2004222083.tif 000013
【図１２】
2004222083.tif 000014
【図１３】
2004222083.tif 000015
【図１４】
2004222083.tif 000016
【図１５】
2004222083.tif 000017
【図１６】
2004222083.tif 000018
【図１７】
2004222083.tif 000019
【図１８】
2004222083.tif 000020
【図１９】
2004222083.tif 000021
【図２０】
2004222083.tif 000022
【図２１】
2004222083.tif 000023
【図２２】
2004222083.tif 000024
【図２３】
2004222083.tif 000025
【図２４】
2004222083.tif 000026
【図２５】
2004222083.tif 000027
【図２６】
2004222083.tif 000028
【図２７】
2004222083.tif 000029